(57)【特許請求の範囲】
【請求項１】
基準シグナリングの周りでレートマッチングするための方法であって、
ユーザ機器のトランシーバを介して、第１の帯域幅にわたってセルによって送信される発見基準信号（ＤＲＳ）のために構成された非ゼロ電力基準信号に関連する第１のリソースと、第２の帯域幅にわたってＤＲＳのために構成されたゼロ電力基準信号に関連する第２のリソースとを識別するＤＲＳ構成を受信することと、前記第１の帯域幅は前記第２の帯域幅以下であり、
前記トランシーバを介して、前記セルから、前記非ゼロ電力基準信号および前記ゼロ電力基準信号のインスタンスとともに少なくとも１つのチャネルを受信することと、
プロセッサを介して、前記第２の帯域幅にわたって前記第２のリソースの周りで前記少なくとも１つのチャネルに対してレートマッチングを実行することと、
を備える方法。
【請求項２】
前記第２の帯域幅にわたって前記セルによって送信される非ゼロ電力チャネル状態情報（ＣＳＩ）基準信号（ＣＳＩ−ＲＳ）に関連する第３のリソースを識別するＣＳＩフィードバック構成を受信することをさらに備え、前記レートマッチングを実行することは、前記第２の帯域幅にわたって前記第３のリソースの周りでさらに前記レートマッチングを実行することを備える、請求項１に記載の方法。
【請求項３】
前記第１の帯域幅は、前記第２の帯域幅のサブセットである、請求項１に記載の方法。
【請求項４】
前記第２の帯域幅は、前記セルによって構成されたシステム帯域幅である、請求項１に記載の方法。
【請求項５】
前記システム帯域幅は２０メガヘルツ（ＭＨｚ）であり、前記第１の帯域幅は、１．４ＭＨｚ、３ＭＨｚ、５ＭＨｚ、１０ＭＨｚ、１５ＭＨｚ、または２０ＭＨｚのうちの少なくとも１つである、請求項４に記載の方法。
【請求項６】
前記第１の帯域幅は、前記セルに前記非ゼロ電力基準信号の測定のフィードバックを提供するために前記測定を実行するために構成された測定帯域幅である、請求項１に記載の方法。
【請求項７】
前記非ゼロ電力基準信号および前記ゼロ電力基準信号は、チャネル状態情報基準信号（ＣＳＩ−ＲＳ）を備える、請求項１に記載の方法。
【請求項８】
前記レートマッチングを実行することは、前記第１の帯域幅にわたって前記第１のリソースの周りで前記レートマッチングを実行することをさらに備える、請求項１に記載の方法。
【請求項９】
前記少なくとも１つのチャネルは、制御チャネルまたはデータチャネルのうちの少なくとも１つを備える、請求項１に記載の方法。
【請求項１０】
基準シグナリングの周りでレートマッチングするためのユーザ機器であって、
第１の帯域幅にわたってセルによって送信される発見基準信号（ＤＲＳ）のために構成された非ゼロ電力基準信号に関連する第１のリソースと、第２の帯域幅にわたってＤＲＳのために構成されたゼロ電力基準信号に関連する第２のリソースとを識別するＤＲＳ構成を受信するための手段と、前記第１の帯域幅は前記第２の帯域幅以下であり、
前記セルから、前記非ゼロ電力基準信号および前記ゼロ電力基準信号のインスタンスとともに少なくとも１つのチャネルを受信するための手段と、
前記第２の帯域幅にわたって前記第２のリソースの周りで前記少なくとも１つのチャネルに対してレートマッチングを実行するための手段と、
を備えるユーザ機器。
【請求項１１】
前記第２の帯域幅にわたって前記セルによって送信される非ゼロ電力チャネル状態情報（ＣＳＩ）基準信号（ＣＳＩ−ＲＳ）に関連する第３のリソースを識別するＣＳＩフィードバック構成を受信するための手段をさらに備え、実行するための前記手段は、前記第２の帯域幅にわたって前記第３のリソースの周りでさらに前記レートマッチングを実行する、請求項１０に記載のユーザ機器。
【請求項１２】
前記第１の帯域幅は、前記セルに前記非ゼロ電力基準信号の測定のフィードバックを提供するために前記測定を実行するために構成された測定帯域幅である、請求項１０に記載のユーザ機器。
【請求項１３】
前記非ゼロ電力基準信号および前記ゼロ電力基準信号は、チャネル状態情報基準信号（ＣＳＩ−ＲＳ）を備える、請求項１０に記載のユーザ機器。
【請求項１４】
前記少なくとも１つのチャネルは、制御チャネルまたはデータチャネルのうちの少なくとも１つを備える、請求項１０に記載のユーザ機器。
【請求項１５】
実行されるとき、コンピュータに、請求項１−９のうちのいずれか一項に従った方法を実行させるコンピュータ実行可能コードを備えるコンピュータ可読記憶媒体。
【発明の詳細な説明】
【優先権の主張】
【０００１】
本特許出願は、その全体が参照によって本明細書に明確に組み込まれる、２０１４年１１月３日に出願された「ＲＡＴＥ  ＭＡＴＣＨＩＮＧ  ＡＲＯＵＮＤ  ＲＥＦＥＲＥＮＣＥ  ＳＩＧＮＡＬＳ  ＩＮ  ＷＩＲＥＬＥＳＳ  ＣＯＭＭＵＮＩＣＡＴＩＯＮＳ」と題する仮出願第６２／０７４，４９０号、および２０１５年９月１８日に出願された「ＲＡＴＥ  ＭＡＴＣＨＩＮＧ  ＡＲＯＵＮＤ  ＲＥＦＥＲＥＮＣＥ  ＳＩＧＮＡＬＳ  ＩＮ  ＷＩＲＥＬＥＳＳ  ＣＯＭＭＵＮＩＣＡＴＩＯＮＳ」と題する米国特許出願第１４／８５８，９９３号の優先権を主張する。
【技術分野】
【０００２】
一般には通信システムに関し、より詳細にはワイヤレス通信システムにおいて基準信号の存在下でレートマッチングすることに関する態様が本明細書で説明される。
【背景技術】
【０００３】
[0003]ワイヤレス通信システムは、電話、ビデオ、データ、メッセージング、およびブロードキャストなどの様々な電気通信サービスを提供するために広く展開されている。通常のワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを提供するために様々な電気通信規格において採用されてきた。新興の電気通信規格の一例はロングタームエボリューション（ＬＴＥ（登録商標））である。ＬＴＥは、第３世代パートナーシッププロジェクト（３ＧＰＰ（登録商標））によって公表されたユニバーサルモバイルテレコミュニケーションシステム（ＵＭＴＳ）のモバイル規格の拡張のセットである。ＬＴＥは、スペクトル効率を改善することによってモバイルブロードバンドインターネットアクセスをより良好にサポートすることと、コストを下げることと、サービスを改善することと、新しいスペクトルを利用することと、ダウンリンク（ＤＬ）上ではＯＦＤＭＡ、アップリンク（ＵＬ）上ではＳＣ−ＦＤＭＡ、また多入力多出力（ＭＩＭＯ）アンテナ技術を使用して他のオープン規格とより良好に統合することとを行うように設計される。しかしながら、モバイルブロードバンドアクセスに対する需要が増大し続けるにつれて、ＬＴＥ技術のさらなる改善が必要である。好ましくは、これらの改善は、他の多元接続技術、およびこれらの技術を採用する電気通信規格に適用可能であるべきである。
【０００５】
[0005]ＬＴＥを採用するワイヤレス通信システムでは、ユーザ機器（ＵＥ）が、セルから受信される物理ダウンリンク共有チャネル（ＰＤＳＣＨ）および拡張物理ダウンリンク制御チャネル（ＥＰＤＣＣＨ）に対してレートマッチングを実行することができる。ＵＥは、チャネル状態情報基準信号（ＣＳＩ−ＲＳ）の送信のために使用される既知のリソース要素（ＲＥ）の周りで（たとえば、既知のＲＥを回避して）レートマッチングを実行するように構成され得る。対応して、ｅＮＢが、既知のＲＥにおいて送信するためのＰＤＳＣＨおよび／またはＥＰＤＣＣＨデータをマッピングすることはない。さらに、ｅＮＢは、ＣＳＩ−ＲＳのために使用されるＲＥのロケーションによりＵＥを構成することができ、そのようなロケーションは、（非ゼロ電力ＣＳＩ−ＲＳとも呼ばれる）セルによって送信されるＣＳＩ−ＲＳのＲＥロケーション、ならびに（ゼロ電力ＣＳＩ−ＲＳとも呼ばれる）他の（１つまたは複数の）セルによって送信されるＣＳＩ−ＲＳまたは他の信号のＲＥロケーションを、含み得る。したがって、セルは、ＰＤＳＣＨおよび／またはＥＰＤＣＣＨ通信をマッピングするために、構成された非ゼロ電力およびゼロ電力ＣＳＩ−ＲＳ  ＲＥの外側のＲＥを利用することができ、ＵＥは、それに応じて、構成において示された非ゼロ電力およびゼロ電力ＣＳＩ−ＲＳ  ＲＥの周りの（たとえば、非ゼロ電力およびゼロ電力ＣＳＩ−ＲＳ  ＲＥを含まない）ＲＥに基づいてＰＤＳＣＨおよび／またはＥＰＤＣＣＨをレートマッチングすることができる。
【０００６】
[0006]加えて、ＬＴＥを採用するワイヤレス通信システムでは、ワイヤレスネットワークでのシステムパフォーマンスおよびダイバーシティの向上をもたらすためにスモールセルが不均一に展開され得る。スモールセルは、たとえば、マクロセルまたはマクロ基地局と比較して相対的に低い送信電力および／または相対的に小さいカバレージエリアを有するピコセル、フェムトセル、および／または他のタイプのセルを含み得る。スモールセルは、セル間干渉協調および回避、負荷分散、エネルギー節約などのために（たとえば、マクロ基地局または他のネットワークノードによって）動的にオンおよびオフにされ得る。したがって、スモールセルは、発見基準信号（ＤＲＳ：discovery reference signal）として、セル固有基準信号（ＣＲＳ）、１次同期信号（ＰＳＳ）、２次同期信号（ＳＳＳ）、および／または構成可能チャネル状態情報基準信号（ＣＳＩ−ＲＳ）を含む１つまたは複数の基準信号を送信することができる。ＤＲＳとして１つまたは複数の基準信号を送信する際に、スモールセルは、システム帯域幅未満であり得る最大許容測定帯域幅を利用し得る。ユーザ機器（ＵＥ）は、それに応じて、１つまたは複数のＤＲＳを受信したことに少なくとも部分的に基づいて、オンにされているスモールセルを発見することができる。
【０００７】
[0007]ＤＲＳとしてＣＳＩ−ＲＳが送信されるとき、ＣＳＩ−ＲＳに関して受信される関連する構成は、ＤＲＳのために使用される非ゼロ電力および／またはゼロ電力ＣＳＩ−ＲＳがシステム帯域幅全体にわたって送信されるか、最大許容測定帯域幅にわたって送信されるかについて明示的ではないことがあり、そのことは、ＰＤＳＣＨおよび／またはＥＰＤＣＣＨに対してレートマッチングを実行する際に望ましくない結果につながり得る。
【発明の概要】
【０００８】
[0008]以下では、１つまたは複数の態様の基本的理解を与えるために、そのような態様の簡略化された概要を提示する。この概要は、すべての考えられる態様の包括的な概説ではなく、すべての態様の主要または重要な要素を識別することも、いずれかまたはすべての態様の範囲を定めることも意図されていない。その唯一の目的は、後に提示されるより詳細な説明の導入として、１つまたは複数の態様のいくつかの概念を簡略化された形で提示することである。
【０００９】
[0009]チャネル状態情報基準信号（ＣＳＩ−ＲＳ）などの基準信号を含み得る発見基準信号（ＤＲＳ）の周りで少なくとも１つのチャネルをレートマッチングするための帯域幅を決定するための方法、装置、およびコンピュータプログラムに関する様々な態様が本明細書で説明される。たとえば、ＤＲＳの周りにマッピングされたチャネルを受信するユーザ機器（ＵＥ）は、ＤＲＳ構成に基づいてレートマッチングする程度・範囲（extent）を識別する情報を必要とし得る。たとえば、ＤＲＳは、システム帯域幅またはシステム帯域幅未満であり得る測定帯域幅（measurement bandwidth）を占有し得る。したがって、ＤＲＳの周りでチャネルをレートマッチングするとき、ＵＥは、ＤＲＳとして送られた構成可能基準信号がシステム帯域幅全体にわたって関連リソースを利用するか、ＤＲＳとして送られた構成可能基準信号が測定帯域幅にわたって関連リソースを利用するかを決定する必要があり得る。本明細書で説明される様々な態様は、ＤＲＳのために使用される帯域幅が、決定されることができ、ＤＲＳの周りで少なくとも１つのチャネルをレートマッチングする際に利用され得る機構を対象とする。
【００１０】
[0010]一例によれば、基準シグナリングの周りでレートマッチングするための方法が提供される。方法は、第１の帯域幅にわたるセルによって送信されるＤＲＳのための非ゼロ電力基準信号に関連する第１のリソースと、第２の帯域幅にわたるＤＲＳのためのゼロ電力基準信号に関連する第２のリソースとを識別するＤＲＳ構成を受信すること、第１の帯域幅は第２の帯域幅以下である、と、セルから、非ゼロ電力基準信号およびゼロ電力基準信号のインスタンスとともに少なくとも１つのチャネルを受信することと、第２の帯域幅にわたって第２のリソースの周りで該少なくとも１つのチャネルに対してレートマッチングを実行することとを含む。
【００１１】
[0011]他の態様では、基準シグナリングの周りでレートマッチングするためのユーザ機器が提供される。ユーザ機器は、トランシーバと、ワイヤレスネットワークにおいて信号を通信するためのバスを介してトランシーバと通信可能に結合された少なくとも１つのプロセッサと、バスを介して少なくとも１つのプロセッサおよび／またはトランシーバと通信可能に結合されたメモリとを含む。少なくとも１つのプロセッサおよびメモリは、トランシーバを介して、第１の帯域幅にわたるセルによって送信される発見基準信号（ＤＲＳ）のための非ゼロ電力基準信号に関連する第１のリソースと、第２の帯域幅にわたるＤＲＳのためのゼロ電力基準信号に関連する第２のリソースとを識別するＤＲＳ構成を受信すること、第１の帯域幅は第２の帯域幅以下である、と、トランシーバを介して、セルから非ゼロ電力基準信号およびゼロ電力基準信号のインスタンスとともに少なくとも１つのチャネルを受信することと、第２の帯域幅にわたって第２のリソースの周りで該少なくとも１つのチャネルに対してレートマッチングを実行することとを行うように動作可能である。
【００１２】
[0012]別の例では、基準シグナリングの周りでレートマッチングするためのユーザ機器が提供される。ユーザ機器は、第１の帯域幅にわたるセルによって送信される発見基準信号（ＤＲＳ）のための非ゼロ電力基準信号に関連する第１のリソースと、第２の帯域幅にわたるＤＲＳのためのゼロ電力基準信号に関連する第２のリソースとを識別するＤＲＳ構成を受信するための手段、第１の帯域幅は第２の帯域幅以下である、と、セルから、非ゼロ電力基準信号およびゼロ電力基準信号のインスタンスとともに少なくとも１つのチャネルを受信するための手段と、第２の帯域幅にわたって第２のリソースの周りで少なくとも１つのチャネルに対してレートマッチングを実行するための手段と、を含む。
【００１３】
[0013]他の態様では、基準シグナリングの周りでレートマッチングするためのコンピュータ実行可能コードを記憶するコンピュータ可読媒体が提供される。コードは、第１の帯域幅にわたるセルによって送信される発見基準信号（ＤＲＳ）のための非ゼロ電力基準信号に関連する第１のリソースと、第２の帯域幅にわたるＤＲＳのためのゼロ電力基準信号に関連する第２のリソースとを識別するＤＲＳ構成を受信するためのコード、第１の帯域幅は第２の帯域幅以下である、と、セルから、非ゼロ電力基準信号およびゼロ電力基準信号のインスタンスとともに少なくとも１つのチャネルを受信するためのコードと、第２の帯域幅にわたって第２のリソースの周りで少なくとも１つのチャネルに対してレートマッチングを実行するためのコードとを含む。
【００１４】
[0014]上記の目的および関連する目的を達成するために、１つまたは複数の態様は、以下で十分に説明され、特に特許請求の範囲において指摘される特徴を備える。以下の説明および添付の図面は、１つまたは複数の態様のいくつかの例示的な特徴を詳細に記載する。しかしながら、これらの特徴は、様々な態様の原理が採用され得る様々な方法のほんのいくつかを示すものであり、この説明は、すべてのそのような態様およびそれらの均等物を含むことが意図されている。
【図面の簡単な説明】
【００１５】
【図１】本明細書で説明される態様による、電気通信システムの一例を概念的に示すブロック図。
【図２】アクセスネットワークの一例を示す図。
【図３】ロングタームエボリューション（ＬＴＥ）におけるダウンリンク（ＤＬ）フレーム構造の一例を示す図。
【図４】ＬＴＥにおけるアップリンク（ＵＬ）フレーム構造の一例を示す図。
【図５】ユーザプレーンおよび制御プレーンのための無線プロトコルアーキテクチャの一例を示す図。
【図６】アクセスネットワークにおける発展型ＮｏｄｅＢおよびユーザ機器の一例を示す図。
【図７】本明細書で説明される態様による、基準信号の周りでのレートマッチングを容易にするための例示的なシステムを示す図。
【図８】本明細書で説明される態様による、決定されたレートマッチング帯域幅に基づいて１つまたは複数の基準信号の周りでチャネルに対してレートマッチングするための例示的な方法のフローチャート。
【図９】本明細書で説明される態様による、受信された構成に基づいて１つまたは複数の基準信号の周りでチャネルに対してレートマッチングするための例示的な方法のフローチャート。
【発明を実施するための形態】
【００１６】
[0024]添付の図面に関して以下に記載される詳細な説明は、様々な構成の説明として意図されており、本明細書で説明される概念が実施され得る唯一の構成を表すことは意図されていない。詳細な説明は、様々な概念の完全な理解を提供する目的で、具体的な詳細を含む。しかしながら、これらの概念がこれらの具体的な詳細なしに実施され得ることが、当業者に明らかであろう。場合によっては、そのような概念を曖昧にすることを回避するために、よく知られている構造および構成要素がブロック図の形態で示される。
【００１７】
[0025]ここで、様々な装置および方法を参照しながら電気通信システムのいくつかの態様が提示される。これらの装置および方法が、以下の詳細な説明において説明され、（「要素」と総称される）様々なブロック、モジュール、構成要素、回路、ステップ、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課された設計制約に依存する。
【００１８】
[0026]例として、要素、または要素の任意の部分、または要素の任意の組合せが、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するように構成された他の適切なハードウェアがある。処理システム中の１つまたは複数のプロセッサは、ソフトウェアを実行し得る。ソフトウェアは、ソフトウェア、ファームウェア、ミドルウェア、マイクロコード、ハードウェア記述言語と呼ばれるか、または他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、関数などを意味すると広く解釈されるものとする。
【００１９】
[0027]したがって、１つまたは複数の態様では、説明される機能は、ハードウェア、ソフトウェア、ファームウェア、またはそれらの任意の組合せで実装され得る。ソフトウェアで実装される場合、機能は、コンピュータ可読媒体上に記憶されるか、またはコンピュータ可読媒体上に１つもしくは複数の命令もしくはコードとして符号化され得る。コンピュータ可読媒体は、コンピュータ記憶媒体を含む。記憶媒体は、コンピュータによってアクセスされ得る任意の利用可能な媒体であってよい。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または命令もしくはデータ構造の形態の所望のプログラムコードを搬送もしくは記憶するために使用され得、コンピュータによってアクセスされ得る任意の他の媒体を備えることができる。上記の組合せもコンピュータ可読媒体の範囲内に含まれるべきである。
【００２０】
[0028]システム帯域幅の構成可能部分にわたってマッピングされ得る基準信号の周りで、少なくとも１つのチャネルをレートマッチングするための帯域幅を決定することに関する様々な態様が本明細書で説明される。レートマッチングは、チャネルにおいて受信されるトランスポートブロックビットの数を、該チャネルに関係するリソース割振りのために送信され得るビットの数とマッチングすることを含むように定義され得る。レートマッチングは、チャネル送信に含まれる基準信号に対応するリソースの周りで発生することができ、その理由は、リソースがチャネル送信に関係しないことにある。場合によっては、基準信号によって使用されるリソースは、チャネル状態情報基準信号（ＣＳＩ−ＲＳ）などのために構成可能であり得る。この例では、ＬＴＥにおける発展型ＮｏｄｅＢ（ｅＮＢ）などの送信側のノードは、受信側のノード（たとえば、ＬＴＥにおけるユーザ機器（ＵＥ））への構成可能基準信号送信のために利用されるリソースに関する情報を、受信側のノードが構成可能基準信号の周りでレートマッチングできるように指定し得る。
【００２１】
[0029]たとえば、リソースに関するそのような情報は、基準信号に関連するリソースを識別し得る（たとえば、構成可能基準信号が送信される、本明細書でリソースとも呼ばれる、１つまたは複数のリソース要素の指示）。一例では、構成可能基準信号は、発見基準信号（ＤＲＳ）を含むことができ、ここでＤＲＳは、システム帯域幅未満である測定帯域幅にわたってマッピングされ得る。たとえば、システム帯域幅は、動作のためにｅＮＢおよびＵＥに対応する無線アクセス技術（ＲＡＴ）が定義する帯域幅（たとえば、ＬＴＥにおける２０メガヘルツ（ＭＨｚ））に対応することができ、測定帯域幅は、測定目的でｅＮＢによっていくつかの基準信号が送信される、ｅＮＢが定義する（および／またはＵＥに対して構成する）システム帯域幅以下の帯域幅であり得る。測定帯域幅にわたってマッピングされたＤＲＳを構成可能基準信号が含む場合、構成可能基準信号を送信する際に、システム帯域幅におけるすべての示されたリソース要素が使用されるとは限らない。したがって、（たとえば、ＤＲＳとして送信される）構成可能基準信号の周りでチャネルをレートマッチングするとき、ＵＥは、構成可能基準信号がシステム帯域幅全体にわたって関連リソースを利用すると仮定もしくはさもなければ決定し、リソースの周りでレートマッチングすること、または構成可能基準信号が測定帯域幅にわたって関連リソースを利用すると仮定もしくはさもなければ決定することのいずれかができる。したがってＵＥは、構成可能基準信号がシステム帯域幅にマッピングされると決定または仮定されるか、測定帯域幅にマッピングされると決定または仮定されるかに基づいて、システム帯域幅にわたって、または測定帯域幅内で（たとえば、ＤＲＳとして送信される）構成可能基準信号を送信するために使用されるリソースの周りでレートマッチングすることができる。
【００２２】
[0030]最初に図１を参照すると、図は、本明細書で説明される態様による、ワイヤレス通信システム１００の一例を示している。ワイヤレス通信システム１００は、複数のアクセスポイント（たとえば、基地局、ｅＮＢ、またはＷＬＡＮアクセスポイント）１０５と、いくつかのユーザ機器（ＵＥ）１１５と、コアネットワーク１３０とを含む。アクセスポイント１０５は、アクセスポイント１０５と通信するためにＵＥ１１５に（たとえば、制御および／またはデータアップリンク通信のための）リソース許可を送信するように構成された通信構成要素６０２を含み得る。通信構成要素６０２はまた、本明細書でさらに説明されるように、基準信号送信のために構成されたリソースに関する構成情報を提供し得る。ＵＥ１１５は、基準信号送信のために構成されたリソースを決定したことに基づいて、少なくとも１つのチャネルをレートマッチングするための通信構成要素６６１を含むことができる。
【００２３】
[0031]アクセスポイント１０５のうちのいくつかは、基地局コントローラ（図示されず）の制御によりＵＥ１１５と通信し得、基地局コントローラは、様々な例では、コアネットワーク１３０の一部であり得、またはある種のアクセスポイント１０５（たとえば、基地局もしくはｅＮＢ）であり得る。アクセスポイント１０５は、バックホールリンク１３２を通じてコアネットワーク１３０と制御情報および／またはユーザデータを通信し得る。例では、アクセスポイント１０５は、ワイヤード通信リンクまたはワイヤレス通信リンクであり得るバックホールリンク１３４を介して互いに直接または間接的に通信し得る。ワイヤレス通信システム１００は、複数のキャリア（異なる周波数の波形信号）上での動作をサポートし得る。マルチキャリア送信機は、複数のキャリア上で同時に被変調信号を送信し得る。たとえば、各通信リンク１２５は、上述の様々な無線技術に従って変調されたマルチキャリア信号であり得る。各被変調信号は、異なるキャリア上で送られてよく、制御情報（たとえば、基準信号、制御チャネルなど）、オーバーヘッド情報、データなどを搬送し得る。
【００２４】
[0032]この点について、ＵＥ１１５は、１つまたは複数のアクセスポイント１０５と、（たとえば、１つのアクセスポイント１０５と）キャリアアグリゲーション（ＣＡ：carrier aggregation）を使用して、および／または（たとえば、複数のアクセスポイント１０５と）多重接続を使用して複数のキャリアを介して通信するように構成され得る。いずれの場合も、ＵＥ１１５は、ＵＥ１１５とアクセスポイント１０５との間のアップリンクおよびダウンリンク通信をサポートするように構成された少なくとも１つの１次セル（ＰＣｅｌｌ）を用いて構成され得る。ＵＥ１１５と所与のアクセスポイント１０５との間の通信リンク１２５ごとにＰＣｅｌｌがあり得ることを諒解されたい。加えて、通信リンク１２５の各々は、同様にアップリンクおよび／またはダウンリンク通信をサポートし得る１つまたは複数の２次セル（ＳＣｅｌｌ）を有することができる。いくつかの例では、ＰＣｅｌｌは、少なくとも制御チャネルを通信するために使用されてよく、ＳＣｅｌｌは、データチャネルを通信するために使用されてよい。
【００２５】
[0033]アクセスポイント１０５は、１つまたは複数のアクセスポイントアンテナを介してＵＥ１１５とワイヤレス通信し得る。アクセスポイント１０５サイトの各々は、それぞれのカバレージエリア１１０に通信カバレージを提供し得る。いくつかの例では、アクセスポイント１０５は、トランシーバ基地局、無線基地局、無線トランシーバ、基本サービスセット（ＢＳＳ）、拡張サービスセット（ＥＳＳ）、ＮｏｄｅＢ、ｅＮｏｄｅＢ、ホームＮｏｄｅＢ、ホームｅＮｏｄｅＢ、または何らかの他の適切な用語で呼ばれることがある。基地局のカバレージエリア１１０は、カバレージエリアの一部分のみを構成するセクタ（図示されず）に分割され得る。ワイヤレス通信システム１００は、異なるタイプのアクセスポイント１０５（たとえば、マクロ基地局、マイクロ基地局、および／またはピコ基地局）を含み得る。アクセスポイント１０５はまた、セルラー無線アクセス技術および／またはＷＬＡＮ無線アクセス技術（ＲＡＴ）などの異なる無線技術を利用し得る。アクセスポイント１０５は、同じまたは異なるアクセスネットワークまたは事業者展開に関連付けられ得る。同じもしくは異なるタイプのアクセスポイント１０５のカバレージエリアを含む、同じもしくは異なる無線技術を利用する、および／または同じもしくは異なるアクセスネットワークに属する、異なるアクセスポイント１０５のカバレージエリアは、重複し得る。
【００２６】
[0034]ＬＴＥ／ＬＴＥ−Ａネットワーク通信システムでは、発展型ＮｏｄｅＢ（ｅＮｏｄｅＢまたはｅＮＢ）という用語は、概して、アクセスポイント１０５を表すために使用され得る。ワイヤレス通信システム１００は、異なるタイプのアクセスポイントが様々な地理的領域にカバレージを提供する、異種ＬＴＥ／ＬＴＥ−Ａネットワークであり得る。たとえば、各アクセスポイント１０５は、通信カバレージをマクロセル、ピコセル、フェムトセル、および／または他のタイプのセルに提供し得る。ピコセル、フェムトセル、および／または他のタイプのセルなどのスモールセルは、低電力ノードすなわちＬＰＮを含み得る。マクロセルは、概して、比較的大きい地理的エリア（たとえば、半径数キロメートル）をカバーし、ネットワークプロバイダのサービスに加入しているＵＥ１１５による無制限アクセスを可能にし得る。スモールセルは、概して、比較的より小さい地理的エリアをカバーすることになり、たとえば、ネットワークプロバイダのサービスに加入しているＵＥ１１５による無制限アクセスを可能にし得、無制限アクセスに加えて、スモールセルとの関連を有するＵＥ１１５（たとえば、限定加入者グループ（ＣＳＧ：closed subscriber group）中のＵＥ、自宅内のユーザのためのＵＥなど）による制限アクセスをも与え得る。マクロセルのためのｅＮＢはマクロｅＮＢと呼ばれることがある。スモールセルのためのｅＮＢはスモールセルｅＮＢと呼ばれることがある。ｅＮＢは、１つまたは複数の（たとえば、２つ、３つ、４つなどの）セルをサポートし得る。
【００２７】
[0035]コアネットワーク１３０は、１つまたは複数のバックホールリンク１３２（たとえば、Ｓ１インターフェースなど）を介してｅＮＢまたは他のアクセスポイント１０５と通信し得る。アクセスポイント１０５はまた、たとえば、バックホールリンク１３４（たとえば、Ｘ２インターフェースなど）を介して、および／またはバックホールリンク１３２を介して（たとえば、コアネットワーク１３０を通じて）直接または間接的に互いに通信し得る。ワイヤレス通信システム１００は、同期動作または非同期動作をサポートし得る。同期動作の場合、アクセスポイント１０５は同様のフレームタイミングを有し得、異なるアクセスポイント１０５からの送信は、近似的に時間的に整合され得る。非同期動作の場合、アクセスポイント１０５は異なるフレームタイミングを有し得、異なるアクセスポイント１０５からの送信は時間的に整合されないことがある。さらに、第１の階層レイヤおよび第２の階層レイヤにおける送信は、アクセスポイント１０５の間で同期されても、同期されなくてもよい。本明細書で説明される技法は、同期動作または非同期動作のいずれかのために使用され得る。
【００２８】
[0036]ＵＥ１１５はワイヤレス通信システム１００全体にわたって分散され、各ＵＥ１１５は固定または移動であり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれる場合がある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅＮｏｄｅＢ、スモールセルｅＮｏｄｅＢ、リレーなどと通信することが可能であり得る。ＵＥ１１５はまた、セルラーアクセスネットワークもしくは他のＷＷＡＮアクセスネットワーク、またはＷＬＡＮアクセスネットワークなどの、異なるアクセスネットワークを介して通信することが可能であり得る。
【００２９】
[0037]ワイヤレス通信システム１００に示された通信リンク１２５は、ＵＥ１１５からアクセスポイント１０５へのアップリンク（ＵＬ）送信および／またはアクセスポイント１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。通信リンク１２５は、いくつかの例では通信リンク１２５において多重化され得る各階層レイヤの送信を搬送し得る。ＵＥ１１５は、たとえば、多入力多出力（ＭＩＭＯ：Multiple Input Multiple Output）、キャリアアグリゲーション（ＣＡ）、多地点協調（ＣｏＭＰ：Coordinated Multi-Point）、多重接続（たとえば、１つまたは複数のアクセスポイント１０５の各々とのＣＡ）、または他の方式を通じて、複数のアクセスポイント１０５と共同的に通信するように構成され得る。ＭＩＭＯ技法は、複数のデータストリームを送信するために、アクセスポイント１０５上の複数のアンテナおよび／またはＵＥ１１５上の複数のアンテナを使用する。キャリアアグリゲーションは、データ送信のために同じまたは異なるサービングセル上で２つ以上のコンポーネントキャリアを利用し得る。ＣｏＭＰは、いくつかのアクセスポイント１０５による送信および受信の協調により、ＵＥ１１５のための全体的な送信品質を改善するとともに、ネットワークおよびスペクトル利用を増加させるための技法を含み得る。
【００３０】
[0038]上述のように、いくつかの例では、アクセスポイント１０５およびＵＥ１１５は、複数のキャリア上で送信するためにキャリアアグリゲーションを利用し得る。いくつかの例では、アクセスポイント１０５およびＵＥ１１５は、２つ以上の別個のキャリアを使用して、第１のサブフレームタイプを各々が有する１つまたは複数のサブフレームを、１つのフレーム内で第１の階層レイヤにおいて同時に送信し得る。各キャリアは、たとえば、２０ＭＨｚの帯域幅を有し得るが、他の帯域幅が利用されてよい。たとえば、第１の階層レイヤにおけるキャリアアグリゲーション方式で４つの別個の２０ＭＨｚキャリアが使用される場合、第２の階層レイヤにおいて単一の８０ＭＨｚキャリアが使用されてよい。８０ＭＨｚキャリアは、４つの２０ＭＨｚキャリアのうちの１つまたは複数によって使用される無線周波数スペクトルと少なくとも部分的に重複する無線周波数スペクトルの一部分を占有し得る。いくつかの例では、第２の階層レイヤタイプのスケーラブルな帯域幅は、さらに拡張されたデータレートを提供するために、上記で説明されたようなより短いＲＴＴを提供する組合せ技術であり得る。
【００３１】
[0039]ワイヤレス通信システム１００によって採用され得る異なる動作モードの各々は、周波数分割複信（ＦＤＤ）または時分割複信（ＴＤＤ）に従って動作し得る。いくつかの例では、異なる階層レイヤは、異なるＴＤＤまたはＦＤＤモードに従って動作し得る。たとえば、第１の階層レイヤはＦＤＤに従って動作し得、第２の階層レイヤはＴＤＤに従って動作し得る。いくつかの例では、ＯＦＤＭＡ通信信号が、各階層レイヤのＬＴＥダウンリンク送信のために通信リンク１２５において使用され得る一方、シングルキャリア周波数分割多元接続（ＳＣ−ＦＤＭＡ）通信信号が、各階層レイヤにおけるＬＴＥアップリンク送信のために通信リンク１２５において使用され得る。ワイヤレス通信システム１００などのシステムにおける階層レイヤの実装に関する追加の詳細、ならびにそのようなシステムにおける通信に関係する他の特徴および機能が、以下の図を参照しながら以下で与えられる。
【００３２】
[0040]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数の低電力クラスｅＮＢ２０８が、セル２０２のうちの１つまたは複数と重複するセルラー領域２１０を有し得る。低電力クラスｅＮＢ２０８は、スモールセル（たとえば、ホームｅＮＢ（ＨｅＮＢ））、フェムトセルピコセル、マイクロセル、またはリモートラジオヘッド（ＲＲＨ）であり得る。マクロｅＮＢ２０４は各々、それぞれのセル２０２に割り当てられ、セル２０２中のすべてのＵＥ２０６のためにコアネットワーク（たとえば、コアネットワーク１３０）へのアクセスポイントを提供するように構成される。一態様では、ｅＮＢ２０４および／または低電力クラスｅＮＢ２０８は、本明細書でさらに説明されるように、それらと通信するためのＵＥ２０６へのリソース許可、および／または基準信号送信のために構成されたリソースに関する構成情報を生成し送信するように構成された通信構成要素６０２を含み得る。ＵＥ２０６は、基準信号送信のために構成されたリソースを決定したことに基づいて、少なくとも１つのチャネルをレートマッチングするための通信構成要素６６１を含み得る。アクセスネットワーク２００のこの例では集中型コントローラは示されていないが、代替的な構成では集中型コントローラが使用され得る。ｅＮＢ２０４は、無線ベアラ制御と、承認制御と、モビリティ制御と、スケジューリングと、セキュリティと、サービングゲートウェイへの接続性とを含む、すべての無線関連機能を担当する。
【００３３】
[0041]アクセスネットワーク２００によって採用される変調方式および多元接続方式は、展開されている特定の電気通信規格に応じて異なる場合がある。ＬＴＥの適用例では、周波数分割複信（ＦＤＤ）と時分割複信（ＴＤＤ）の両方をサポートするために、ＤＬ上ではＯＦＤＭが使用され得、ＵＬ上ではＳＣ−ＦＤＭＡが使用され得る。当業者なら以下の詳細な説明から容易に諒解するように、本明細書で提示される様々な概念は、ＬＴＥの適用例に好適である。しかしながら、これらの概念は、他の変調および多元接続技法を採用する他の電気通信規格に容易に拡張され得る。例として、これらの概念は、エボリューションデータオプティマイズド（ＥＶ−ＤＯ）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ）、ＴＤＭＡを採用するモバイル通信用グローバルシステム（ＧＳＭ（登録商標））、ならびにＯＦＤＭＡを採用する発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥ、およびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存する。
【００３４】
[0042]ｅＮＢ２０４は、ＭＩＭＯ技術をサポートする複数のアンテナを有し得る。ＭＩＭＯ技術の使用により、ｅＮＢ２０４は空間領域を活用して、空間多重化と、ビームフォーミングと、送信ダイバーシティとをサポートすることが可能になる。データの異なるストリームを同じ周波数上で同時に送信するために、空間多重化が使用され得る。データスチームは、データレートを上げるために単一のＵＥ２０６に、または全体的なシステム容量を増大させるために複数のＵＥ２０６に送信され得る。これは、各データストリームを空間的にプリコーディングし（すなわち、振幅および位相のスケーリングを適用し）、次いで、空間的にプリコーディングされた各ストリームをＤＬ上で複数の送信アンテナを通じて送信することによって達成される。空間的にプリコーディングされたデータストリームは、異なる空間シグネチャとともにＵＥ２０６に到達し、これにより、ＵＥ２０６の各々は、そのＵＥ２０６に宛てられた１つまたは複数のデータストリームを復元することが可能になる。ＵＬ上では、各ＵＥ２０６は、空間的にプリコーディングされたデータストリームを送信し、これにより、ｅＮＢ２０４は、空間的にプリコーディングされた各データストリームのソースを識別することが可能になる。
【００３５】
[0043]空間多重化は、概して、チャネル状態が良好なときに使用される。チャネル状態があまり好ましくないとき、送信エネルギーを１つまたは複数の方向に集中させるためにビームフォーミングが使用され得る。これは、複数のアンテナを通じた送信のために、データを空間的にプリコーディングすることによって達成され得る。セルのエッジにおいて良好なカバレージを達成するために、送信ダイバーシティと組み合わせてシングルストリームビームフォーミング送信が使用され得る。
【００３６】
[0044]以下の詳細な説明では、アクセスネットワークの様々な態様が、ＤＬ上でＯＦＤＭをサポートするＭＩＭＯシステムを参照しながら説明される。ＯＦＤＭは、ＯＦＤＭシンボル内のいくつかのサブキャリアを介してデータを変調するスペクトラム拡散技法である。サブキャリアは、正確な周波数で間隔をおいて離されている。間隔をおいて離すことは、受信機がサブキャリアからのデータを復元することを可能にする「直交性」をもたらす。時間領域では、ＯＦＤＭシンボル間干渉をなくすために、各ＯＦＤＭシンボルにガードインターバル（たとえば、サイクリックプレフィックス）が追加され得る。ＵＬは、高いピーク対平均電力比（ＰＡＰＲ）を補償するために、ＤＦＴ拡散ＯＦＤＭ信号の形態でＳＣ−ＦＤＭＡを使用し得る。
【００３７】
[0045]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含むことができる。リソースグリッドは、２つのタイムスロットを表すために使用され得、各タイムスロットは、リソース要素ブロックを含む。リソースグリッドは複数のリソース要素に分割される。ＬＴＥでは、リソース要素ブロックは、周波数領域中に１２個の連続するサブキャリアを含み、各ＯＦＤＭシンボル中のノーマルサイクリックプレフィックスの場合、合計８４個のリソース要素に対して、時間領域中に７つの連続するＯＦＤＭシンボルを含むことがある。拡張サイクリックプレフィックスの場合、リソース要素ブロックは、合計７２個のリソース要素に対して、時間領域中に６つの連続するＯＦＤＭシンボルを含むことがある。Ｒ３０２、３０４として示されるリソース要素のうちのいくつかは、ＤＬ基準信号（ＤＬ−ＲＳ）を含む。ＤＬ−ＲＳは、（共通ＲＳと呼ばれることもある）セル固有ＲＳ（ＣＲＳ）３０２と、ＵＥ固有ＲＳ（ＵＥ−ＲＳ）３０４とを含む。ＵＥ−ＲＳ３０４は、対応する物理ダウンリンク共有チャネル（ＰＤＳＣＨ）がマッピングされるリソース要素ブロック上でのみ送信される。各リソース要素によって搬送されるビット数は変調方式に依存する。したがって、ＵＥが受信するリソース要素ブロックが多いほど、また変調方式が高度であるほど、ＵＥのデータレートは高くなる。
【００３８】
[0046]ｅＮＢは、少なくともＲ３０２として示されたＲＥに対応しないＲＥにわたって（たとえば、ＰＤＳＣＨ、ＥＰＤＣＣＨなどのための）チャネルデータをマッピングすることができる。相応して、受信側のＵＥは、チャネルデータを復号する際に、Ｒ３０２として示されたＲＥの周りでレートマッチングすることができる。加えて、残りのＲＥブロックうちの１つまたは複数は、１つまたは複数の構成可能ＣＳＩ−ＲＳを含み得、ここで、１つまたは複数のＲＥにおけるＣＳＩ−ＲＳの構成に関する情報がｅＮＢからＵＥに提供される。したがって、ＵＥはさらに、受信されたＣＳＩ−ＲＳ構成の情報に基づいて構成可能ＣＳＩ−ＲＳの周りでレートマッチングすることができる。説明されたようにＤＲＳにＣＳＩ−ＲＳが対応する場合、ＣＳＩ−ＲＳは、必ずしもシステム帯域幅全体ではなく、システム帯域幅の一部分（たとえば、最大許容測定帯域幅）を占有し得る。
【００３９】
[0047]図４は、いくつかの例では本明細書で説明されるＵＬＬ  ＬＴＥ  ＵＬフレーム構造とともに利用され得る、ＬＴＥにおけるＵＬフレーム構造の一例を示す図４００である。ＵＬのために利用可能なリソース要素ブロックは、データセクションおよび制御セクションに区分され得る。制御セクションは、システム帯域幅の２つのエッジに形成され得、構成可能なサイズを有し得る。制御セクション中のリソース要素ブロックは、制御情報の送信用にＵＥに割り当てられ得る。データセクションは、制御セクション中に含まれないすべてのリソース要素ブロックを含み得る。ＵＬフレーム構造により、データセクションは連続的なサブキャリアを含むことになり、これにより、単一のＵＥが、データセクション中の連続的なサブキャリアのすべてを割り当てられることが可能になり得る。
【００４０】
[0048]ＵＥは、ｅＮＢに制御情報を送信するために、制御セクション中のリソース要素ブロック４１０ａ、４１０ｂを割り当てられ得る。ＵＥは、ｅＮＢにデータを送信するために、データセクション中のリソース要素ブロック４２０ａ、４２０ｂをも割り当てられ得る。ＵＥは、制御セクション中の割り当てられたリソース要素ブロック上の物理ＵＬ制御チャネル（ＰＵＣＣＨ）中で制御情報を送信し得る。ＵＥは、データセクション中の割り当てられたリソース要素ブロック上の物理ＵＬ共有チャネル（ＰＵＳＣＨ）中でデータのみまたはデータと制御情報の両方を送信し得る。ＵＬ送信は、サブフレームの両方のスロットに及ぶ場合があり、周波数にわたってホッピングし得る。
【００４１】
[0049]初期システムアクセスを実行し、物理ランダムアクセスチャネル（ＰＲＡＣＨ）４３０中でＵＬ同期を達成するために、リソース要素ブロックのセットが使用され得る。ＰＲＡＣＨ４３０は、ランダムシーケンスを搬送し、いかなるＵＬデータ／シグナリングをも搬送することができない。各ランダムアクセスプリアンブルは、６つの連続するリソース要素ブロックに対応する帯域幅を占有する。開始周波数はネットワークによって指定される。すなわち、ランダムアクセスプリアンブルの送信は、ある時間リソースおよび周波数リソースに制限される。ＰＲＡＣＨの場合、周波数ホッピングは存在しない。ＰＲＡＣＨの試行は、単一のサブフレーム（１ｍｓ）の中で、または少数の連続サブフレームのシーケンスの中で搬送され、ＵＥは、フレーム（１０ｍｓ）ごとに単一のＰＲＡＣＨの試行のみを行うことができる。
【００４２】
[0050]図５は、ＬＴＥおよびＵＬＬ  ＬＴＥにおけるユーザプレーンおよび制御プレーンのための無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３で示される。レイヤ１（Ｌ１レイヤ）は最下位レイヤであり、様々な物理レイヤ信号処理機能を実装する。Ｌ１レイヤは、本明細書では物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担当する。
【００４３】
[0051]ユーザプレーンでは、Ｌ２レイヤ５０８は、ネットワーク側のｅＮＢにおいて終端される、媒体アクセス制御（ＭＡＣ）サブレイヤ５１０と、無線リンク制御（ＲＬＣ）サブレイヤ５１２と、パケットデータコンバージェンスプロトコル（ＰＤＣＰ）５１４サブレイヤとを含む。図示されていないが、ＵＥは、ネットワーク側のＰＤＮゲートウェイにおいて終端されるネットワークレイヤ（たとえば、ＩＰレイヤ）と、接続の他端（たとえば、ファーエンドＵＥ、サーバなど）において終端されるアプリケーションレイヤを含む、Ｌ２レイヤ５０８の上のいくつかの上位レイヤを有し得る。
【００４４】
[0052]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥのためのｅＮＢ間のハンドオーバサポートとを行う。ＲＬＣサブレイヤ５１２は、上位レイヤデータパケットのセグメント化およびリアセンブリと、紛失データパケットの再送信と、ハイブリッド自動再送要求（ＨＡＲＱ）に起因する順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソース要素ブロック）を割り振ることを担当する。ＭＡＣサブレイヤ５１０は、ＨＡＲＱ演算も担当する。
【００４５】
[0053]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８に対して実質的に同じである。制御プレーンは、レイヤ３（Ｌ３レイヤ）中に無線リソース制御（ＲＲＣ）サブレイヤ５１６も含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００４６】
[0054]図６は、アクセスネットワーク中でｅＮＢ６１０がＵＥ６５０と通信しているブロック図である。ＤＬでは、コアネットワークからの上位レイヤパケットが、コントローラ／プロセッサ６７５に提供される。コントローラ／プロセッサ６７５は、Ｌ２レイヤの機能を実装する。ＤＬでは、コントローラ／プロセッサ６７５は、ヘッダ圧縮と、暗号化と、パケットのセグメント化および並べ替えと、論理チャネルとトランスポートチャネルとの間の多重化と、様々な優先度メトリックに基づくＵＥ６５０への無線リソース割振りとを行う。コントローラ／プロセッサ６７５はまた、ＨＡＲＱ演算と、紛失パケットの再送信と、ＵＥ６５０へのシグナリングとを担当する。
【００４７】
[0055]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ）を容易にするためのコーディングおよびインターリービングと、様々な変調方式（たとえば、２位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ））に基づく信号コンスタレーションへのマッピングとを含む。次いで、コーディングおよび変調されたシンボルが、並列ストリームに分割される。次いで、各ストリームは、ＯＦＤＭサブキャリアにマッピングされ、時間領域および／または周波数領域において基準信号（たとえば、パイロット）と多重化され、次いで、逆高速フーリエ変換（ＩＦＦＴ）を使用して合成されて、時間領域のＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信された基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。加えて、ｅＮＢ６１０は、ＵＥ６５０へのリソース許可、および／または基準信号送信のために構成されたリソースに関する構成情報を生成し送信するように構成された通信構成要素６０２を含み得る。通信構成要素６０２はコントローラ／プロセッサ６７５に結合されるものとして示されているが、通信構成要素６０２がまた他のプロセッサ（たとえば、ＴＸプロセッサ６１６、ＲＸプロセッサ６７０など）に結合され得ること、および／または本明細書で説明されるアクションを実行するように１つもしくは複数のプロセッサ６１６、６７０、６７５によって実装され得ることは諒解されたい。その上、メモリ６７６は、通信構成要素６０２の実装および／または実行を可能にする１つまたは複数の命令および／またはパラメータを記憶するように構成され得る。さらに、一態様では、通信構成要素６０２は、プロセッサ（コントローラ／プロセッサ６７５、ＴＸプロセッサ６１６、ＲＸプロセッサ６７０）のうちの１つまたは複数とメモリ６７６との組合せによって実装され得る。
【００４８】
[0056]ＵＥ６５０において、各受信機６５４ＲＸは、それのそれぞれのアンテナ６５２を通じて信号を受信する。各受信機６５４ＲＸは、ＲＦキャリア上に変調された情報を復元し、情報を受信（ＲＸ）プロセッサ６５６に提供する。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらは、ＲＸプロセッサ６５６によって単一のＯＦＤＭシンボルストリームに合成され得る。次いで、ＲＸプロセッサ６５６は、高速フーリエ変換（ＦＦＴ）を使用して、ＯＦＤＭＡシンボルストリームを時間領域から周波数領域に変換する。周波数領域信号は、ＯＦＤＭ信号のサブキャリアごとに別個のＯＦＤＭシンボルストリームを備える。各サブキャリア上のシンボルおよび基準信号は、ｅＮＢ６１０によって送信された最も可能性が高い信号コンスタレーションポイントを決定することによって、復元および復調される。これらの軟決定は、チャネル推定器６５８によって計算されたチャネル推定値に基づく場合がある。次いで、軟決定は復号されデインタリーブされて、物理チャネル上でｅＮＢ６１０によって最初に送信されたデータおよび制御信号が復元される。データおよび制御信号は、次いで、コントローラ／プロセッサ６５９に提供される。
【００４９】
[0057]コントローラ／プロセッサ６５９はＬ２レイヤを実装する。コントローラ／プロセッサは、プログラムコードとデータとを記憶するメモリ６６０に関連付けられ得る。メモリ６６０は、コンピュータ可読媒体と呼ばれ得る。ＵＬでは、コントローラ／プロセッサ６５９は、トランスポートチャネルと論理チャネルとの間の逆多重化と、パケットリアセンブリと、暗号解読（decipher）と、ヘッダ解凍（decompression）と、制御信号処理とを行って、コアネットワークからの上位レイヤパケットを復元する。次いで、上位レイヤパケットはデータシンク６６２に提供され、データシンク６６２はＬ２レイヤの上のすべてのプロトコルレイヤを表す。様々な制御信号も、Ｌ３処理のためにデータシンク６６２に提供され得る。コントローラ／プロセッサ６５９はまた、ＨＡＲＱ演算をサポートするために、肯定応答（ＡＣＫ）および／または否定応答（ＮＡＣＫ）のプロトコルを使用する誤り検出を担当する。加えて、ＵＥ６５０は、基準信号送信のために構成されたリソースを決定したことに基づいて、少なくとも１つのチャネルをレートマッチングするように構成された通信構成要素６６１を含み得る。通信構成要素６６１はコントローラ／プロセッサ６５９に結合されるものとして示されているが、通信構成要素６６１がまた他のプロセッサ（たとえば、ＲＸプロセッサ６５６、ＴＸプロセッサ６６８など）に結合され得ること、および／または本明細書で説明されるアクションを実行するように１つもしくは複数のプロセッサ６５６、６５９、６６８によって実装され得ることは諒解されたい。その上、メモリ６６０は、通信構成要素６６１の実装および／または実行を可能にする１つまたは複数の命令および／またはパラメータを記憶するように構成され得る。さらに、一態様では、通信構成要素６６１は、プロセッサ（コントローラ／プロセッサ６５９、ＲＸプロセッサ６５６、ＴＸプロセッサ６６８）のうちの１つまたは複数とメモリ６６０との組合せによって実装され得る。
【００５０】
[0058]ＵＬでは、データソース６６７は、上位レイヤパケットをコントローラ／プロセッサ６５９に与えるために使用される。データソース６６７は、Ｌ２レイヤの上のすべてのプロトコルレイヤを表す。ｅＮＢ６１０によるＤＬ送信に関して説明された機能と同様に、コントローラ／プロセッサ６５９は、ヘッダ圧縮と、暗号化と、パケットのセグメント化および並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。また、コントローラ／プロセッサ６５９は、ＨＡＲＱ演算と、紛失パケットの再送信と、ｅＮＢ６１０へのシグナリングとを担当する。
【００５１】
[0059]ｅＮＢ６１０によって送信された基準信号またはフィードバックからの、チャネル推定器６５８によって導出されたチャネル推定値は、適切なコーディングおよび変調方式を選択することと、空間処理を容易にすることとを行うために、ＴＸプロセッサ６６８によって使用され得る。ＴＸプロセッサ６６８によって生成された空間ストリームは、別個の送信機６５４ＴＸを介して異なるアンテナ６５２に提供される。各送信機６５４ＴＸは、送信のためにそれぞれの空間ストリームでＲＦキャリアを変調する。
【００５２】
[0060]ＵＬ送信は、ＵＥ６５０における受信機機能に関連して説明されたのと同じようにしてｅＮＢ６１０において処理される。各受信機６１８ＲＸは、それのそれぞれのアンテナ６２０を通じて信号を受信する。各受信機６１８ＲＸは、ＲＦキャリア上に変調された情報を復元し、情報をＲＸプロセッサ６７０に提供する。ＲＸプロセッサ６７０はＬ１レイヤを実装し得る。
【００５３】
[0061]コントローラ／プロセッサ６７５はＬ２レイヤを実装する。コントローラ／プロセッサ６７５は、プログラムコードとデータとを記憶するメモリ６７６に関連付けられ得る。メモリ６７６は、コンピュータ可読媒体と呼ばれ得る。ＵＬでは、コントローラ／プロセッサ６７５は、トランスポートチャネルと論理チャネルとの間の逆多重化と、パケットリアセンブリと、暗号解読と、ヘッダ解凍と、制御信号処理とを行って、ＵＥ６５０からの上位レイヤパケットを復元する。コントローラ／プロセッサ６７５からの上位レイヤパケットは、コアネットワークに提供され得る。コントローラ／プロセッサ６７５はまた、ＨＡＲＱ演算をサポートするために、ＡＣＫおよび／またはＮＡＣＫのプロトコルを使用する誤り検出を担当する。
【００５４】
[0062]図７〜図９を参照すると、本明細書で説明されるアクションまたは機能を実行することができる１つまたは複数の構成要素および１つまたは複数の方法に関して態様が示されている。一態様では、本明細書で使用されるときに、「構成要素」という用語は、システムを構成する部分のうちの１つであってよく、ハードウェアまたはソフトウェアまたはそれらの何らかの組合せであってよく、他の構成要素に分割され得る。図８において後述される動作は、特定の順序で、および／または例示的な構成要素によって実行されるものとして提示されるが、アクションの順序およびアクションを実行する構成要素は、実装形態に応じて変更され得ることを理解されたい。その上、以下のアクションまたは機能は、特別にプログラムされたプロセッサ、特別にプログラムされたソフトウェアもしくはコンピュータ可読媒体を実行するプロセッサによって、または説明されるアクションもしくは機能を実行することが可能なハードウェア構成要素および／もしくはソフトウェア構成要素の任意の他の組合せによって実行され得ることを理解されたい。
【００５５】
[0063]図７は、基準信号送信の周りで少なくとも１つの受信されたチャネルをレートマッチングするための例示的なシステム７００を示している。システム７００は、上記の図１、図２、および図６にその例が記載されているワイヤレスネットワークにアクセスするためにｅＮＢ７０４と通信するＵＥ７０２を含む。一態様では、ｅＮＢ７０４およびＵＥ７０２は、構成された通信リソースを介してｅＮＢ７０４からＵＥ７０２に制御および／またはデータメッセージを（たとえば、シグナリングにおいて）通信するために、ｅＮＢ７０４によって（たとえば、トランシーバ７５６を介して）送信され、ＵＥ７０２によって（たとえば、トランシーバ７０６を介して）受信され得るダウンリンク信号７０９を介して通信するための１つまたは複数のダウンリンクチャネルを確立し得る。さらに、たとえば、ｅＮＢ７０４およびＵＥ７０２は、構成された通信リソースを介してＵＥ７０２からｅＮＢ７０４に制御および／またはデータメッセージを（たとえば、シグナリングにおいて）通信するために、ＵＥ７０２によって（たとえば、トランシーバ７０６を介して）送信され、ｅＮＢ７０４によって（たとえば、トランシーバ７５６を介して）受信され得るアップリンク信号７０８を介して通信するための１つまたは複数のアップリンクチャネルを確立し得る。ｅＮＢ７０４は、通信を受信または送信するためにＵＥ７０２に割り振られるダウンリンクおよび／またはアップリンクチャネル（たとえば、特定の時間期間における周波数の部分）を示すために、ＵＥ７０２にリソース割振り情報（たとえば、リソース許可（resource grants））を通信し得る。加えて、一例では、ｅＮＢ７０４は、ＵＥ７０２が１つまたは複数のＲＳの周りで１つまたは複数のチャネルをレートマッチングできるように、ＲＳ構成７８０に関連する１つまたは複数のパラメータをＵＥ７０２に送信することができる。
【００５６】
[0064]一態様では、ＵＥ７０２は、たとえば、１つまたは複数のバス７０７を介して通信可能に結合され得る１つまたは複数のプロセッサ７０３および／またはメモリ７０５を含み得、また、ｅＮＢ７０４にアップリンク信号７０８を送信し、および／またはｅＮＢ７０４からダウンリンク信号７０９を受信するためにｅＮＢ７０４と通信するための通信構成要素６６１とともに動作するか、またはさもなければその通信構成要素６６１を実装し得る。たとえば、通信構成要素６６１に関連する様々な動作は実装され得るか、またはさもなければ１つもしくは複数のプロセッサ７０３によって実行され得、一態様では、単一のプロセッサによって実行され得るが、他の態様では、動作のうちの異なるものが、２つ以上の異なるプロセッサの組合せによって実行され得る。たとえば、一態様では、１つまたは複数のプロセッサ７０３は、モデムプロセッサ、またはベースバンドプロセッサ、またはデジタル信号プロセッサ、または特定用途向け集積回路（ＡＳＩＣ）、または送信プロセッサ、受信プロセッサ、またはトランシーバ７０６に関連付けられたトランシーバプロセッサのうちの任意の１つまたは任意の組合せを含んでよい。さらに、たとえば、メモリ７０５は、限定はしないが、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、磁気ストレージデバイス（たとえば、ハードディスク、フロッピー（登録商標）ディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、レジスタ、リムーバブルディスク、ならびに、コンピュータまたは１つもしくは複数のプロセッサ７０３によってアクセスされ読み取られ得るソフトウェアおよび／またはコンピュータ可読コードもしくは命令を記憶するための任意の他の適切な媒体を含む非一時的コンピュータ可読媒体であってもよい。さらに、メモリ７０５またはコンピュータ可読記憶媒体は、１つまたは複数のプロセッサ７０３内に存在しても、１つまたは複数のプロセッサ７０３の外部にあっても、１つまたは複数のプロセッサ７０３を含む複数のエンティティにわたって分散するなどしてもよい。
【００５７】
[0065]特に、１つまたは複数のプロセッサ７０３および／またはメモリ７０５は、通信構成要素６６１またはそのサブ構成要素によって定義されたアクションまたは動作を実行し得る。たとえば、１つまたは複数のプロセッサ７０３および／またはメモリ７０５は、ｅＮＢ７０４または他のネットワークノードから１つまたは複数の構成可能基準信号に関連する１つまたは複数のパラメータを受信するためのＲＳ構成受信構成要素７１０によって定義されたアクションまたは動作を実行し得る。一態様では、たとえば、ＲＳ構成受信構成要素７１０は、ハードウェア（たとえば、１つもしくは複数のプロセッサ７０３の１つもしくは複数のプロセッサモジュール）、ならびに／または、本明細書で説明される特別構成のＲＳ構成受信動作を実行するために、メモリ７０５に記憶され、１つもしくは複数のプロセッサ７０３のうちの少なくとも１つによって実行可能なコンピュータ可読コードもしくは命令を含み得る。さらに、たとえば、１つもしくは複数のプロセッサ７０３および／またはメモリ７０５は、ＲＳ構成に基づいて１つまたは複数のＲＳの周りでレートマッチングするためのレートマッチング構成要素７１２によって定義されたアクションまたは動作を実行し得る。一態様では、たとえば、レートマッチング構成要素７１２は、ハードウェア（たとえば、１つもしくは複数のプロセッサ７０３の１つもしくは複数のプロセッサモジュール）、および／または、本明細書で説明される特別構成のレートマッチング動作を実行するために、メモリ７０５に記憶され、１つもしくは複数のプロセッサ７０３のうちの少なくとも１つによって実行可能なコンピュータ可読コードもしくは命令を含んでもよい。
【００５８】
[0066]同様に、一態様では、ｅＮＢ７０４は、たとえば、１つまたは複数のバス７５７を介して通信可能に結合され得る１つまたは複数のプロセッサ７５３および／またはメモリ７５５を含んでよく、また、ＵＥ７０２に１つもしくは複数のリソース許可を通信し、および／もしくは１つもしくは複数のリソース許可に基づいてＵＥ７０２との間で通信を送信もしくは受信するための通信構成要素６０２のうちの１つもしくは複数とともに動作するか、またはさもなければその通信構成要素６０２のうちの１つもしくは複数を実装してもよい。たとえば、通信構成要素６０２に関連する様々な機能は実装されるか、またはさもなければ１つもしくは複数のプロセッサ７５３によって実行されてもよく、一態様では、単一のプロセッサによって実行され得るが、上記で説明されたように、他の態様では、機能のうちの異なるものが、２つ以上の異なるプロセッサの組合せによって実行され得る。一例では、１つまたは複数のプロセッサ７５３および／またはメモリ７５５は、ＵＥ７０２の１つまたは複数のプロセッサ７０３および／またはメモリ７０５に関して上記の例で説明されたように構成されてもよいことを諒解されたい。
【００５９】
[0067]一例では、１つもしくは複数のプロセッサ７５３および／またはメモリ７５５は、通信構成要素６０２またはそのサブ構成要素によって定義されたアクションまたは動作を実行し得る。たとえば、１つもしくは複数のプロセッサ７５３および／またはメモリ７５５は、１つもしくは複数の構成可能基準信号を構成し、および／または１つもしくは複数の構成可能基準信号の構成に対応する１つもしくは複数のパラメータを示すためのＲＳ構成構成要素７２０によって定義されたアクションまたは動作を実行し得る。一態様では、たとえば、ＲＳ構成構成要素７２０は、ハードウェア（たとえば、１つもしくは複数のプロセッサ７５３の１つもしくは複数のプロセッサモジュール）、ならびに／または、本明細書で説明される特別構成のＲＳ構成動作を実行するために、メモリ７５５に記憶され、１つもしくは複数のプロセッサ７５３のうちの少なくとも１つによって実行可能なコンピュータ可読コードもしくは命令を含み得る。さらに、たとえば、１つもしくは複数のプロセッサ７５３および／またはメモリ７５５は、構成可能基準信号に基づいてＤＲＳを生成するためのＤＲＳ生成構成要素７２２によって定義されたアクションまたは動作を実行し得る。一態様では、たとえば、ＤＲＳ生成構成要素７２２は、ハードウェア（たとえば、１つもしくは複数のプロセッサ７５３の１つもしくは複数のプロセッサモジュール）、ならびに／または、本明細書で説明される特別構成のＤＲＳ生成動作を実行するために、メモリ７５５に記憶され、１つもしくは複数のプロセッサ７５３のうちの少なくとも１つによって実行可能なコンピュータ可読コードもしくは命令を含み得る。
【００６０】
[0068]トランシーバ７０６、７５６は、１つまたは複数のアンテナ、ＲＦフロントエンド、１つまたは複数の送信機、および１つまたは複数の受信機を通じてワイヤレス信号を送信および受信するように構成されてもよいことは諒解されたい。一態様では、トランシーバ７０６、７５６は、ＵＥ７０２および／またはｅＮＢ７０４が特定の周波数で通信し得るように、指定された周波数で動作するように同調され得る。一態様では、関連するアップリンクまたはダウンリンク通信チャネルを介してそれぞれアップリンク信号７０８および／またはダウンリンク信号７０９を通信するために、構成、通信プロトコルなどに基づいて、指定された周波数および電力レベルで動作するように、１つもしくは複数のプロセッサ７０３がトランシーバ７０６を構成してもよく、および／または１つもしくは複数のプロセッサ７５３がトランシーバ７５６を構成してもよい。
【００６１】
[0069]一態様では、トランシーバ７０６、７５６は、トランシーバ７０６、７５６を使用して送受信されるデジタルデータを処理するように、複数の帯域で（たとえば、マルチバンドマルチモードモデム（図示されず）を使用して）動作し得る。一態様では、トランシーバ７０６、７５６はマルチバンドであり、特定の通信プロトコルのために複数の周波数帯域をサポートするように構成され得る。一態様では、トランシーバ７０６、７５６は、複数の動作ネットワークおよび通信プロトコルをサポートするように構成され得る。したがって、たとえば、トランシーバ７０６、７５６は、指定されたモデム構成に基づいて信号の送信および／または受信を可能にしてもよい。
【００６２】
[0070]説明されたように、ＤＲＳ生成構成要素７２２は、ＤＲＳを生成することができ、ここでｅＮＢ７０４は、ＵＥがｅＮＢ７０４を発見できるようにＤＲＳを利用することができる。これは、説明されたようにオン／オフ手順の管理を容易にすることができ、ここでｅＮＢ７０４の電力サイクルが、セル間干渉協調／回避、負荷分散、エネルギー節約などを達成するのを支援するために（たとえば、ｅＮＢ７０４、他のｅＮＢ、または他のネットワークノードによって）管理され得る。たとえば、ｅＮＢ７０４の電力サイクルは、（たとえば、ｅＮＢ７０４または別の近隣ｅＮＢへ／からの）ハンドオーバのような手順、ｅＮＢ７０４の、またはｅＮＢ７０４の近傍における２次ｅＮＢの追加／除去、２次ｅＮＢのアクティブ化／非アクティブ化、ｅＮＢ７０４または別の近隣ｅＮＢにおける決定されたトラフィック負荷の増大、ｅＮＢ７０４の近くの、または近隣ｅＮＢにおける検出されたＵＥの到着／出発に基づいて、ｅＮＢ７０４または別の近隣ｅＮＢにおけるパケットの到着／完了などに基づいて、管理され得る。ＤＲＳ生成構成要素７２２は、ｅＮＢ７０４によって提供された１つまたは複数のセルのためのＤＲＳを生成することができ、ここでセルが、１つまたは複数のセクタ、コンポーネントキャリアなどに関係し得る。加えて、ＲＳ構成構成要素７２０は、無線リソース管理（ＲＲＭ）のためにＤＲＳを測定するようにＵＥを構成するために、ＵＥにＲＳ構成７８０を送信することができる。ＵＥは、ＤＲＳを送信しているセルを発見する（たとえば、ひいては電力がオンにされたセルを発見する）ためにＤＲＳを利用することができ、ＤＲＳが検出されると、および／または該セルの測位基準信号（ＰＲＳ）が通信構成要素６６１によって受信され処理されると、セルからの他の信号（たとえば、ＰＳＳ、ＳＳＳ、物理ブロードキャストチャネル（ＰＢＣＨ）、ＣＲＳ、物理制御フォーマットインジケータチャネル（ＰＣＦＩＣＨ）、ＰＤＳＣＨ、ＰＤＣＣＨ、ＥＰＤＣＣＨ、物理ＨＡＲＱインジケータチャネル（ＰＨＩＣＨ）、復調基準信号（ＤＭ−ＲＳ）、ＣＳＩ−ＲＳなど）を処理し始めることができる。
【００６３】
[0071]一例では、通信構成要素６０２は、ＤＲＳ機会の間に、ダウンリンクサブフレーム、サブフレームのダウンリンクパイロットタイムスロット（ＤｗＰＴＳ）領域などにおいてＤＲＳを送信することができる。ＤＲＳ機会は、所与のセルのためのいくつかの連続するサブフレーム（たとえば、セルがＦＤＤを利用するか、ＴＤＤを利用するかに応じて、１〜５個または２〜５個のサブフレーム）を含み得、ＤＲＳ機会は、一定の間隔で（たとえば、４０ミリ秒（ｍｓ）ごとに、８０ｍｓごとに、１０６ｍｓごとになど）発生し得る。一例では、ｅＮＢ７０４のセルのためのＤＲＳ機会は、セル間干渉消去を達成するために他のｅＮＢ、他のネットワークノードなどによって構成され得る。ＤＲＳは、セル固有基準信号（ＣＲＳ）、１次同期信号（ＰＳＳ）、２次同期信号（ＳＳＳ）、構成可能チャネル状態情報基準信号（ＣＳＩ−ＲＳ）などのような１つまたは複数の基準信号を含むことができ、ＤＲＳ生成構成要素７２２は、システム帯域幅未満であり得る（最大許容測定帯域幅（maximum allowed measurement bandwidth）とも呼ばれる）測定帯域幅（measurement bandwidth）を利用することによって、ＤＲＳとして１つまたは複数の基準信号を生成し得る。
【００６４】
[0072]ＣＳＩ−ＲＳなどのいくつかの基準信号は、ＲＳ構成構成要素７２０が、基準信号を送信するための構成を決定することができ、基準信号に関する構成情報をＵＥ７０２に示し得るように、構成可能である。構成情報は、リソースブロック内の１つもしくは複数のリソース要素（ＲＥ）ロケーションおよび／または対応する測定帯域幅など、構成可能基準信号を送信するために使用されるリソースを識別し得る。したがって、ＲＳ構成受信構成要素７１０は、構成を受信し、１つまたは複数のｅＮＢが構成可能基準信号を送信しているリソース（たとえば、リソースブロック内のＲＥロケーション、複数のリソースブロックを含む帯域幅など）を決定することができる。したがって、通信構成要素６６１は、示されたＲＥロケーションおよび／または測定帯域幅に基づく示されたリソースを介した構成可能基準信号の測定を実行し得る。加えて、一例では、レートマッチング構成要素７１２は、本明細書で説明されるように、測定帯域幅またはシステム帯域幅にわたって、示されたＲＥロケーションに基づいて、構成可能基準信号などのために使用されるリソースの周りで１つまたは複数の制御またはデータチャネルに対してレートマッチングを実行し得る。ｅＮＢ７０４によって送信される基準信号は一般に、本明細書では非ゼロ電力（ＮＺＰ）基準信号と呼ばれ、ＤＲＳ機会は、同じまたは異なるサブフレームにあり得、別個にスクランブルされ得る複数のＮＺＰ  ＣＳＩ−ＲＳ  ＲＥ構成を含むことができる。いずれの場合も、ＲＳ構成構成要素７２０は、ＵＥ７０２に対して、ＵＥがＮＺＰ  ＣＳＩ−ＲＳを測定できるようにＮＺＰ  ＣＳＩ−ＲＳの構成情報を指定することができる。
【００６５】
[0073]一例では、ＲＳ構成構成要素７２０は、他のｅＮＢ／セルがｅＮＢ７０４による干渉を実質的に受けずに基準信号を送信できるようにｅＮＢ７０４が通信をブランクにする（blank）リソースを、構成可能基準信号に関する構成において追加または代替として示すことができる。この点について通信をブランクにすることは、リソースを介して送信するのを控えること、リソースに関連する時間期間にわたって無線周波数（ＲＤ）フロントエンドの１つまたは複数の構成要素の電力を落とすこと、などを指し得ることを諒解されたい。これらのブランクにされたリソースは、本明細書ではゼロ電力（ＺＰ）基準信号と呼ばれ、ＲＳ構成構成要素７２０は、同様にＵＥ７０２にゼロ電力基準信号を示すことができる。特定の例では、ＬＴＥでは、ＲＳ構成構成要素７２０は、ＤＲＳに関係するレートマッチングのために、ＵＥ７０２のための最大５つのＺＰ  ＣＳＩ−ＲＳ構成を構成することができる。したがって、通信構成要素６６１は、示されたＲＥロケーションおよび／または測定帯域幅に基づく示されたリソースに基づいて、ＺＰ基準信号を介した測定を実行し得る。加えて、一例では、レートマッチング構成要素７１２は、追加または代替として、本明細書で説明されるように、測定帯域幅および／またはシステム帯域幅にわたって、ゼロ電力基準信号のために示されたリソースの周りで１つまたは複数の制御またはデータチャネルをレートマッチングし得る。
【００６６】
[0074]図８は、（たとえば、レートマッチング構成要素７１２を動作させているＵＥ７０２によって）基準信号の周りで少なくとも１つのチャネルをレートマッチングするための例示的な方法８００を示している。
【００６７】
[0075]方法８００は、ブロック８０２において、セルのシステム帯域幅を識別することを含み得る。通信構成要素６６１は、セルのシステム帯域幅を識別することができ、ここでセルは、ｅＮＢ７０４によって提供された１つまたは複数のセルを含み得る。たとえば、通信構成要素６６１は、ｅＮＢ７０４から受信された構成、ＵＥ７０２において記憶された構成などに少なくとも部分的に基づいて、システム帯域幅を識別することができる。システム帯域幅は、ワイヤレスネットワーク技術に従って通信するために定義された帯域幅（たとえば、ＬＴＥの場合に２０ＭＨｚ）に対応し得る。
【００６８】
[0076]方法８００はまた、ブロック８０４において、測定を実行するためのリソースを識別する構成を受信することを含み得、識別されたリソースは、測定帯域幅に関連する基準信号に対応する。ＲＳ構成受信構成要素７１０は、測定を実行するためのリソースを識別する構成を受信することができ、ここで、識別されたリソースは、測定帯域幅に関連する基準信号に対応する。この例では、ＲＳ構成構成要素７２０は、リソース、測定帯域幅、および／または関連パラメータのうちの１つもしくは複数を識別するＲＳ構成７８０として生成し、ＵＥ７０２に通信することができる。たとえば、構成は、ｅＮＢ７０４が基準信号を送信するリソースブロック内のＲＥロケーションを含み得る。構成はまた、ｅＮＢ７０４がＲＥにおいて基準信号を送信する複数のリソースブロックを含む（たとえば、システム帯域幅未満であり得る）測定帯域幅を含み得る。この構成は、システム帯域幅未満であり得る測定帯域幅を指定しており、ＤＲＳとして基準信号を送信するためのＲＥと測定帯域幅とを示すＤＲＳ構成であり得る。いずれの場合も、構成受信構成要素７１０は、ｅＮＢ７０４から構成を受信することができ、（たとえば、システム帯域幅または示された測定帯域幅におけるいくつかのＲＢにわたるＲＥとして）基準信号が受信されたリソースを決定し得る。
【００６９】
[0077]基準信号は、ｅＮＢ７０４の電力がオンにされていることを決定するために測定するために使用され得、および／またはワイヤレスネットワークにアクセスするために使用され得る、ｅＮＢ７０４によって送信される非ゼロ電力基準信号に関係し得る。ＲＳ構成構成要素７２０によって生成され通信される構成はまた、他のｅＮＢによって送信される信号を含み得る、ゼロ電力基準信号に関する構成情報を含み得る。たとえば、ゼロ電力基準信号は、ＵＥ７０２とｅＮＢ７０４との間の通信に潜在的に干渉し得る近くのｅＮＢによって送信される基準信号を含み得、したがって、ｅＮＢ７０４は、対応するリソースを介した通信をブランクにし得る。同様に、ゼロ電力基準信号に関する構成情報は、ゼロ電力基準信号に対応し得るＲＢ内のＲＥを示し得るが、ゼロ電力基準信号が測定帯域幅の外でイネーブルにされている可能性もある。したがって、いずれの場合も、レートマッチング構成要素７１２は、システム帯域幅にわたって、および／または測定帯域幅内で、構成において示されるように、非ゼロ電力および／またはゼロ電力基準信号の周りで少なくとも１つのチャネルをレートマッチングするかどうかを決定することができる。非ゼロ電力およびゼロ電力信号に関する基準信号構成は、所与のＵＥ（たとえば、ＵＥ７０２）に固有であるようにＲＳ構成構成要素７２０によって生成され得ることを諒解されたい。たとえば、ゼロ電力基準信号は、特定のＵＥの近くにある（たとえば、特定のＵＥのしきい値距離内にある）セルによって送信されると決定された基準信号に対応し得る。
【００７０】
[0078]方法８００はまた、ブロック８０６において、セルから基準信号のインスタンスとともに少なくとも１つのチャネルを受信することを含む。通信構成要素６６１はセルから、基準信号のインスタンス（たとえば構成において示された、非ゼロ電力基準信号リソースを介して、および／またはゼロ電力基準信号リソースを介して受信される信号のインスタンス）とともに少なくとも１つのチャネルを受信することができる。たとえば、基準信号は、ＤＲＳとして（たとえば、測定帯域幅にわたって）またはそうではなく（たとえば、システム帯域幅にわたって）受信され得る。一例では、非ゼロ電力基準信号のインスタンスは、測定帯域幅にわたって受信され得、ゼロ電力基準信号のインスタンスは、システム帯域幅にわたって受信または仮定され得る。ＬＴＥにおける特定の例では、少なくとも１つのチャネルは、制御および／またはデータチャネル（たとえば、ＰＤＳＣＨ）、拡張物理ダウンリンク制御チャネル（ＥＰＤＣＣＨ）など）に対応し得る。いずれの場合も、ＤＲＳ生成構成要素７２２は、測定帯域幅にわたってリソースを利用し得るＤＲＳとして非ゼロ電力基準信号のインスタンスを生成することができ、通信構成要素６０２はＵＥ７０２に、制御および／またはデータチャネルとともにＤＲＳとして基準信号を送信することができ、これらが通信構成要素６６１によって受信される。
【００７１】
[0079]方法８００は、ブロック８０８において、基準信号の少なくとも一部分の周りで少なくとも１つのチャネルに対してレートマッチングを実行するためのレートマッチング帯域幅を決定することと、ブロック８１０において、決定されたレートマッチング帯域幅および識別されたリソースに基づいて少なくとも１つのチャネルに対してレートマッチングを実行することと、を含む。レートマッチング構成要素７１２は、基準信号の少なくとも一部分の周りで少なくとも１つのチャネルに対してレートマッチングを実行するためのレートマッチング帯域幅を決定することができ、決定されたレートマッチング帯域幅および識別されたリソースに基づいて少なくとも１つのチャネルに対してレートマッチングを実行することができる。たとえば、レートマッチング構成要素７１２は、ｅＮＢ７０４からのＲＳ構成における１つまたは複数のパラメータに基づき得る、システム帯域幅または測定帯域幅であるレートマッチング帯域幅を決定することができる。別の例では、レートマッチング構成要素７１２は、基準信号のタイプに基づいてレートマッチング帯域幅を決定することができる。一例では本明細書でさらに説明されるように、レートマッチング構成要素７１２は、測定帯域幅に関係なくシステム帯域幅にわたってゼロ電力基準信号の周りでレートマッチングすることを決定し得る。レートマッチング構成要素７１２が、システム帯域幅であるレートマッチング帯域幅を決定する場合、レートマッチング構成要素７１２は、システム帯域幅にわたって基準信号のうちの少なくとも１つ（たとえば、ゼロ電力ＣＳＩ−ＲＳおよび／または非ゼロ電力ＣＳＩ−ＲＳ）に関する構成において示されたリソースの周りで少なくとも１つのチャネルに対してレートマッチングを実行することができる。レートマッチング構成要素７１２が、測定帯域幅であるレートマッチング帯域幅を決定する場合、レートマッチング構成要素７１２は、測定帯域幅の外側にある残りのシステム帯域幅にわたって示されたリソースの周りでレートマッチングすることなく、測定帯域幅にわたって基準信号のうちの少なくとも１つに関する構成において示されたリソースの周りで少なくとも１つのチャネルに対してレートマッチングを実行することができる。
【００７２】
[0080]特定の例では、ＲＳ構成７８０が、２０ＭＨｚのシステム帯域幅の中央の１０ＭＨｚに対応する測定帯域幅を示す場合、およびレートマッチング構成要素７１２が、システム帯域幅であるレートマッチング帯域幅を決定した場合、レートマッチング構成要素７１２は、２０ＭＨｚのシステム帯域幅にわたって、１０ＭＨｚの測定帯域幅に関係なく、構成において示されるように、基準信号の少なくとも一部分のためのＲＥの周りで少なくとも１つのチャネルに対してレートマッチングすることができる。レートマッチング構成要素７１２が、この例では１０ＭＨｚの測定帯域幅であるレートマッチング帯域幅を決定した場合、レートマッチング構成要素７１２は、システム帯域幅の中央の１０ＭＨｚにわたって、基準信号のためのＲＥの周りで少なくとも１つのチャネルに対してレートマッチングすることができる一方、システム帯域幅の外側の５ＭＨｚの部分において基準信号のために構成されたＲＥの周りで（したがって、構成において示されたＲＥを含めて）レートマッチングを実行しない。
【００７３】
[0081]いくつかの例では、レートマッチング構成要素７１２は、レートマッチング帯域幅にわたって、構成において指定された基準信号リソースのうちのいくつかの周りでレートマッチングする（たとえば、非ゼロ電力基準信号ではなくゼロ電力基準信号の周りで、またはその逆の形で、レートマッチングする）ことを決定し得る。
【００７４】
[0082]その上、一例では、レートマッチング構成要素７１２は、基準信号の異なるインスタンスのために別様にレートマッチング帯域幅を決定することができる。たとえば、レートマッチング構成要素７１２は、ゼロ電力基準信号の周りで少なくとも１つのチャネルをレートマッチングするためのレートマッチング帯域幅をシステム帯域幅として決定し得、非ゼロ電力基準信号の周りで少なくとも１つのチャネルをレートマッチングするためのレートマッチング帯域幅を測定帯域幅として決定し得る。
【００７５】
[0083]さらに、一例では、レートマッチング構成要素７１２は、異なるチャネルに対して別様にレートマッチングを実行することができる。たとえば、レートマッチング構成要素７１２は、構成において示されたゼロ電力基準信号リソースの周りでデータチャネル（たとえば、ＰＤＳＣＨ）をレートマッチングする一方、構成において示されたゼロ電力基準信号リソースと非ゼロ電力基準信号リソースの両方の周りで制御チャネル（たとえば、ＥＰＤＣＣＨ）をレートマッチングすることができる。
【００７６】
[0084]別の例では、レートマッチング構成要素７１２は、構成に基づいてレートマッチング帯域幅を決定することができ、その結果、基準信号に関する構成がＤＲＳ構成ではない場合、レートマッチング構成要素７１２は、システム帯域幅であるレートマッチング帯域幅を決定することができる。一例として、以下で図９に関してさらに説明されるように、レートマッチング構成要素７１２は、基準信号がチャネル状態情報フィードバック構成に対応する場合、システム帯域幅にわたって基準信号の周りでレートマッチングすることができる。
【００７７】
[0085]図９は、（たとえば、レートマッチング構成要素７１２を動作させているＵＥ７０２によって）少なくともゼロ電力基準信号に関連するリソースの周りで少なくとも１つのチャネルに対してレートマッチングを実行するための例示的な方法９００を示している。方法９００では、破線の囲みとして示されたブロックは、オプションのステップを表し得る。
【００７８】
[0086]方法９００は、ブロック９０２において、第１の帯域幅にわたってセルによって送信されるＤＲＳのためのＮＺＰ基準信号に関連する第１のリソースと、第２の帯域幅にわたってＤＲＳのためのＺＰ基準信号に関連する第２のリソースとを識別するＤＲＳ構成を受信することを含む。ＲＳ構成受信構成要素７１０は、第１の帯域幅にわたるセル（たとえば、ｅＮＢ７０４）によって送信されるＤＲＳのためのＮＺＰ基準信号に関連する第１のリソースと、第２の帯域幅にわたってＤＲＳのためのＺＰ基準信号に関連する第２のリソースとを識別するＤＲＳ構成（たとえば、ＲＳ構成７８０）を受信することができる。第１の帯域幅は、第２の帯域幅以下であり得る（たとえば、第２の帯域幅と部分的に重複する、重複する、および／または第２の帯域幅のサブセットであり得る）。したがって、たとえば、第１の帯域幅は、ＤＲＳ構成において指定され得る測定帯域幅であり得、第２の帯域幅は、システム帯域幅であり得る。特定の例では、ＬＴＥにおいて、２０ＭＨｚのシステム帯域幅に対して、測定帯域幅は、１．４ＭＨｚ、３ＭＨｚ、５ＭＨｚ、１０ＭＨｚ、１５ＭＨｚ、または２０ＭＨｚの帯域幅のうちの少なくとも１つを含み得る。
【００７９】
[0087]一例では、ＲＳ構成構成要素７２０は、ＣＳＩ−ＲＳなどの構成可能基準信号に関するＲＳ構成を生成またはさもなければ決定することができる。ＲＳ構成は、ＮＺＰ  ＣＳＩ−ＲＳとＺＰ  ＣＳＩ−ＲＳの両方を送信するためのリソース（たとえば、ＲＥ）を示すことができる。その上、ＣＳＩ−ＲＳは、ＤＲＳに対応することができ、したがって、システム帯域幅全体を占有しなくてもよい。したがって、一例では、ＲＳ構成構成要素７２０は、ＤＲＳのために構成されたＣＳＩ−ＲＳのための測定帯域幅を示すためにＲＳ構成を生成することもできる。通信構成要素６０２は、一例では、ＵＥ７０２にＲＳ構成７８０を送信することができる。ＤＲＳ生成構成要素７２２は、構成されたリソースにおいて送信するＤＲＳのためのＮＺＰ  ＣＳＩ−ＲＳを生成することができ、通信構成要素６０２に、構成されたＺＰ  ＣＳＩ−ＲＳ上での通信をブランクにさせることができる。
【００８０】
[0088]したがって、方法９００はまた、ブロック９０４において、セルからＮＺＰ基準信号およびＺＰ基準信号のインスタンスとともに少なくとも１つのチャネルを受信することを含み得る。通信構成要素６６１はセルから（たとえば、ｅＮＢ７０４から）、（たとえば、ｅＮＢ７０４によって送信される）ＮＺＰ基準信号および（たとえば、ｅＮＢ７０４によってブランクにされるが、潜在的には他のｅＮＢによって送信される）ＺＰ基準信号のインスタンスとともに少なくとも１つのチャネルを受信することができる。いずれの場合も、ｅＮＢ７０４は、ＮＺＰおよび／またはＺＰ基準信号に対応するＲＥの周りで（たとえば、そのようなＲＥを使用せずに）少なくとも１つのチャネルをマッピングしていることがある。したがって、レートマッチング構成要素７１２は、少なくとも１つのチャネルを取得するために、ＮＺＰおよび／またはＺＰ基準信号の周りでレートマッチングすることができる。ＬＴＥにおける特定の例では、少なくとも１つのチャネルは、ＰＤＳＣＨまたはＥＰＤＣＣＨに対応し得る。
【００８１】
[0089]方法９００はまた、ブロック９０６において、第２の帯域幅にわたって第２のリソースの周りで少なくとも１つのチャネルに対してレートマッチングを実行することを含み得る。レートマッチング構成要素７１２は、第２の帯域幅にわたって第２のリソースの周りで少なくとも１つのチャネルに対してレートマッチングを実行することができる。一例では、レートマッチング構成要素７１２は、ＲＳ構成７８０において指定された測定帯域幅に関係なくてよい、システム帯域幅にわたって第２のリソースの周りで少なくとも１つのチャネルに対してレートマッチングを実行することができる。したがって、通信構成要素６６１は、測定帯域幅（たとえば、第１の帯域幅）にわたって（他のｅＮＢまたは関連セルから受信されたＣＳＩ−ＲＳに対応する）ＮＺＰ  ＣＳＩ−ＲＳおよび／またはＺＰ  ＣＳＩ−ＲＳの測定を実行し得る一方、レートマッチング構成要素７１２は、システム帯域幅にわたってＤＲＳのためのＺＰ  ＣＳＩ−ＲＳの周りでレートマッチングする。レートマッチング構成要素７１２は、一例では、（たとえば、測定帯域幅においても、システム帯域幅においても）ｅＮＢ７０４によってＤＲＳのために構成されたＮＺＰ  ＣＳＩ−ＲＳの周りでレートマッチングし得ない。
【００８２】
[0090]方法９００は、オプションで、ブロック９０８において、第２の帯域幅にわたってセルによって送信されるＮＺＰ  ＣＳＩ−ＲＳに関連する第３のリソースを識別するＣＳＩフィードバック構成を受信することを含み得る。ＲＳ構成受信構成要素７１０は、第２の帯域幅（たとえば、システム帯域幅）にわたって（たとえば、ｅＮＢ７０４の）セルによって送信されるＮＺＰ  ＣＳＩ−ＲＳに関連する第３のリソースを識別する（たとえば、ＲＳ構成７８０の一部としての、または他の形での）ＣＳＩフィードバック構成を受信することができる。したがって、たとえば、ＣＳＩフィードバックに関連するＮＺＰ  ＣＳＩ−ＲＳは、ＤＲＳに対応し得ない。加えて、ＣＳＩフィードバックに関連するＮＺＰ  ＣＳＩ−ＲＳは、同じ時間期間（たとえば、同じサブフレーム）またはＤＲＳのために構成されたＣＳＩ−ＲＳとは異なる時間期間において送信され得る。
【００８３】
[0091]いずれの場合も、ブロック９０６においてレートマッチングを実行することはまた、オプションで、ブロック９１０において、第２の帯域幅にわたって第３のリソースの周りで少なくとも１つのチャネルに対してレートマッチングを実行することを含み得る。レートマッチング構成要素７１２は、第２の帯域幅にわたってリソースの周りで少なくとも１つのチャネルに対してレートマッチングを実行することができる。したがって、上記で説明された例では、レートマッチング構成要素７１２は、同じもしくは異なるサブフレームまたは他の時間期間に、システム帯域幅にわたってＣＳＩフィードバックのために構成されたＺＰ  ＣＳＩ−ＲＳおよび／またはＮＺＰ  ＣＳＩ−ＲＳに関連するものとして示されたＲＥの周りで少なくとも１つのチャネル（たとえば、ＬＴＥにおけるＰＤＳＣＨまたはＥＰＤＣＣＨ）に対してレートマッチングを実行することができる。
【００８４】
[0092]開示されたプロセスにおけるステップの特定の順序または階層は、例示的な手法の例示であることを理解されたい。設計上の選好に基づいて、プロセスにおけるステップの特定の順序または階層は再構成されてもよいことを理解されたい。さらに、いくつかのステップは、組み合わされるか、または省略される場合がある。添付の方法クレームは、様々なステップの要素を例示的な順序において提示したものであり、提示された特定の順序または階層に限定されるものではない。
【００８５】
[0093]以上の説明は、本明細書で説明された様々な態様を当業者が実施できるようにするために提供されている。これらの態様への様々な変更は当業者には容易に明らかであり、本明細書で定義された一般的原理は他の態様に適用され得る。したがって、特許請求の範囲は、本明細書で示された態様に限定されるものではなく、クレーム文言に矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という用語は１つまたは複数を指している。当業者に知られている、または後に知られることになる、本明細書で説明された様々な態様の要素に対するすべての構造的および機能的均等物が、参照によって本明細書に明確に組み込まれ、特許請求の範囲によって包含されることが意図される。その上、本明細書において開示されるものは、そのような開示が特許請求の範囲において明示的に列挙されているかどうかにかかわらず、公に供されることは意図されていない。「ための手段」という句を使用して要素が明確に列挙されていない限り、いかなるクレーム要素もミーンズプラスファンクションとして解釈されるべきではない。
以下に本願の出願当初の特許請求の範囲に記載された発明を付記する。
［Ｃ１］
基準シグナリングの周りでレートマッチングするための方法であって、
ユーザ機器のトランシーバを介して、第１の帯域幅にわたってセルによって送信される発見基準信号（ＤＲＳ）のために構成された非ゼロ電力基準信号に関連する第１のリソースと、第２の帯域幅にわたってＤＲＳのために構成されたゼロ電力基準信号に関連する第２のリソースとを識別するＤＲＳ構成を受信することと、前記第１の帯域幅は前記第２の帯域幅以下であり、
前記トランシーバを介して、前記セルから、前記非ゼロ電力基準信号および前記ゼロ電力基準信号のインスタンスとともに少なくとも１つのチャネルを受信することと、
プロセッサを介して、前記第２の帯域幅にわたって前記第２のリソースの周りで前記少なくとも１つのチャネルに対してレートマッチングを実行することと、
を備える方法。
［Ｃ２］
前記第２の帯域幅にわたって前記セルによって送信される非ゼロ電力チャネル状態情報（ＣＳＩ）基準信号（ＣＳＩ−ＲＳ）に関連する第３のリソースを識別するＣＳＩフィードバック構成を受信することをさらに備え、前記レートマッチングを実行することは、前記第２の帯域幅にわたって前記第３のリソースの周りでさらに前記レートマッチングを実行することを備える、Ｃ１に記載の方法。
［Ｃ３］
前記第１の帯域幅は、前記第２の帯域幅のサブセットである、Ｃ１に記載の方法。
［Ｃ４］
前記第２の帯域幅は、前記セルによって構成されたシステム帯域幅である、Ｃ１に記載の方法。
［Ｃ５］
前記システム帯域幅は２０メガヘルツ（ＭＨｚ）であり、前記第１の帯域幅は、１．４ＭＨｚ、３ＭＨｚ、５ＭＨｚ、１０ＭＨｚ、１５ＭＨｚ、または２０ＭＨｚのうちの少なくとも１つである、Ｃ４に記載の方法。
［Ｃ６］
前記第１の帯域幅は、前記セルに前記非ゼロ電力基準信号の測定のフィードバックを提供するために前記測定を実行するために構成された測定帯域幅である、Ｃ１に記載の方法。
［Ｃ７］
前記非ゼロ電力基準信号および前記ゼロ電力基準信号は、チャネル状態情報基準信号（ＣＳＩ−ＲＳ）を備える、Ｃ１に記載の方法。
［Ｃ８］
前記レートマッチングを実行することは、前記第１の帯域幅にわたって前記第１のリソースの周りで前記レートマッチングを実行することをさらに備える、Ｃ１に記載の方法。
［Ｃ９］
前記少なくとも１つのチャネルは、制御チャネルまたはデータチャネルのうちの少なくとも１つを備える、Ｃ１に記載の方法。
［Ｃ１０］
基準シグナリングの周りでレートマッチングするためのユーザ機器であって、
トランシーバと、
ワイヤレスネットワークにおいて信号を通信するためのバスを介して前記トランシーバと通信可能に結合された少なくとも１つのプロセッサと、
前記バスを介して前記少なくとも１つのプロセッサおよび／または前記トランシーバと通信可能に結合されたメモリと、
を備え、
前記少なくとも１つのプロセッサおよび前記メモリは、
前記トランシーバを介して、第１の帯域幅にわたってセルによって送信される発見基準信号（ＤＲＳ）のために構成された非ゼロ電力基準信号に関連する第１のリソースと、第２の帯域幅にわたってＤＲＳのために構成されたゼロ電力基準信号に関連する第２のリソースとを識別するＤＲＳ構成を受信することと、前記第１の帯域幅は前記第２の帯域幅以下であり、
前記トランシーバを介して、前記セルから、前記非ゼロ電力基準信号および前記ゼロ電力基準信号のインスタンスとともに少なくとも１つのチャネルを受信することと、
前記第２の帯域幅にわたって前記第２のリソースの周りで前記少なくとも１つのチャネルに対してレートマッチングを実行することと、
を行うように動作可能である、ユーザ機器。
［Ｃ１１］
前記少なくとも１つのプロセッサおよび前記メモリは、前記第２の帯域幅にわたって前記セルによって送信される非ゼロ電力チャネル状態情報（ＣＳＩ）基準信号（ＣＳＩ−ＲＳ）に関連する第３のリソースを識別するＣＳＩフィードバック構成を受信するようにさらに動作可能であり、
前記少なくとも１つのプロセッサおよび前記メモリは、少なくとも一部、前記第２の帯域幅にわたって前記第３のリソースの周りでさらに前記レートマッチングを実行することによって、前記レートマッチングを実行するように動作可能である、
Ｃ１０に記載のユーザ機器。
［Ｃ１２］
前記第１の帯域幅は、前記第２の帯域幅のサブセットである、Ｃ１０に記載のユーザ機器。
［Ｃ１３］
前記第２の帯域幅は、前記セルによって構成されたシステム帯域幅である、Ｃ１０に記載のユーザ機器。
［Ｃ１４］
前記システム帯域幅は２０メガヘルツ（ＭＨｚ）であり、前記第１の帯域幅は、１．４ＭＨｚ、３ＭＨｚ、５ＭＨｚ、１０ＭＨｚ、１５ＭＨｚ、または２０ＭＨｚのうちの少なくとも１つである、Ｃ１３に記載のユーザ機器。
［Ｃ１５］
前記第１の帯域幅は、前記セルに前記非ゼロ電力基準信号の測定のフィードバックを提供するために前記測定を実行するために構成された測定帯域幅である、Ｃ１０に記載のユーザ機器。
［Ｃ１６］
前記非ゼロ電力基準信号および前記ゼロ電力基準信号は、チャネル状態情報基準信号（ＣＳＩ−ＲＳ）を備える、Ｃ１０に記載のユーザ機器。
［Ｃ１７］
前記少なくとも１つのプロセッサおよび前記メモリは、少なくとも一部、前記第１の帯域幅にわたって前記第１のリソースの周りで前記レートマッチングを実行することによって、前記レートマッチングを実行するように動作可能である、Ｃ１０に記載のユーザ機器。
［Ｃ１８］
前記少なくとも１つのチャネルは、制御チャネルまたはデータチャネルのうちの少なくとも１つを備える、Ｃ１０に記載のユーザ機器。
［Ｃ１９］
基準シグナリングの周りでレートマッチングするためのユーザ機器であって、
第１の帯域幅にわたってセルによって送信される発見基準信号（ＤＲＳ）のために構成された非ゼロ電力基準信号に関連する第１のリソースと、第２の帯域幅にわたってＤＲＳのために構成されたゼロ電力基準信号に関連する第２のリソースとを識別するＤＲＳ構成を受信するための手段と、前記第１の帯域幅は前記第２の帯域幅以下であり、
前記セルから、前記非ゼロ電力基準信号および前記ゼロ電力基準信号のインスタンスとともに少なくとも１つのチャネルを受信するための手段と、
前記第２の帯域幅にわたって前記第２のリソースの周りで前記少なくとも１つのチャネルに対してレートマッチングを実行するための手段と、
を備えるユーザ機器。
［Ｃ２０］
前記第２の帯域幅にわたって前記セルによって送信される非ゼロ電力チャネル状態情報（ＣＳＩ）基準信号（ＣＳＩ−ＲＳ）に関連する第３のリソースを識別するＣＳＩフィードバック構成を受信するための手段をさらに備え、実行するための前記手段は、前記第２の帯域幅にわたって前記第３のリソースの周りでさらに前記レートマッチングを実行する、Ｃ１９に記載のユーザ機器。
［Ｃ２１］
前記第１の帯域幅は、前記第２の帯域幅のサブセットである、Ｃ１９に記載のユーザ機器。
［Ｃ２２］
前記第２の帯域幅は、前記セルによって構成されたシステム帯域幅である、Ｃ１９に記載のユーザ機器。
［Ｃ２３］
前記第１の帯域幅は、前記セルに前記非ゼロ電力基準信号の測定のフィードバックを提供するために前記測定を実行するために構成された測定帯域幅である、Ｃ１９に記載のユーザ機器。
［Ｃ２４］
前記非ゼロ電力基準信号および前記ゼロ電力基準信号は、チャネル状態情報基準信号（ＣＳＩ−ＲＳ）を備える、Ｃ１９に記載のユーザ機器。
［Ｃ２５］
前記少なくとも１つのチャネルは、制御チャネルまたはデータチャネルのうちの少なくとも１つを備える、Ｃ１９に記載のユーザ機器。
［Ｃ２６］
基準シグナリングの周りでレートマッチングするためのコンピュータ実行可能コードを備えるコンピュータ可読記憶媒体であって、前記コードは、
第１の帯域幅にわたってセルによって送信される発見基準信号（ＤＲＳ）のために構成された非ゼロ電力基準信号に関連する第１のリソースと、第２の帯域幅にわたってＤＲＳのために構成されたゼロ電力基準信号に関連する第２のリソースとを識別するＤＲＳ構成を受信するためのコードと、前記第１の帯域幅は前記第２の帯域幅以下であり、
前記セルから、前記非ゼロ電力基準信号および前記ゼロ電力基準信号のインスタンスとともに少なくとも１つのチャネルを受信するためのコードと、
前記第２の帯域幅にわたって前記第２のリソースの周りで前記少なくとも１つのチャネルに対してレートマッチングを実行するためのコードと、
を備える、コンピュータ可読記憶媒体。
［Ｃ２７］
前記コードは、前記第２の帯域幅にわたって前記セルによって送信される非ゼロ電力チャネル状態情報（ＣＳＩ）基準信号（ＣＳＩ−ＲＳ）に関連する第３のリソースを識別するＣＳＩフィードバック構成を受信するためのコードをさらに備え、
実行するための前記コードは、前記第２の帯域幅にわたって前記第３のリソースの周りでさらに前記レートマッチングを実行する、
Ｃ２６に記載のコンピュータ可読記憶媒体。
［Ｃ２８］
前記第１の帯域幅は、前記第２の帯域幅のサブセットである、Ｃ２６に記載のコンピュータ可読記憶媒体。
［Ｃ２９］
前記第２の帯域幅は、前記セルによって構成されたシステム帯域幅である、Ｃ２６に記載のコンピュータ可読記憶媒体。
［Ｃ３０］
前記第１の帯域幅は、前記セルに前記非ゼロ電力基準信号の測定のフィードバックを提供するために前記測定を実行するために構成された測定帯域幅である、Ｃ２６に記載のコンピュータ可読記憶媒体。
【図１】
0006479979.tif 000002
【図２】
0006479979.tif 000003
【図３】
0006479979.tif 000004
【図４】
0006479979.tif 000005
【図５】
0006479979.tif 000006
【図６】
0006479979.tif 000007
【図７】
0006479979.tif 000008
【図８】
0006479979.tif 000009
【図９】
0006479979.tif 000010